(57)【要約】【課題】可変カセットの適正な使用を支援することのできる薬品払出装置及び薬品払出プログラムを提供すること。【解決手段】薬品払出装置は、任意の種類の薬品を払出可能な複数の薬品カセットと、払出対象の薬品情報をユーザー操作で選択される前記薬品カセット又は当該薬品カセットの装着部に割り当て可能な割当処理部と、前記薬品情報が割り当てられた前記薬品カセット又は前記薬品情報が割り当てられた前記装着部に装着された前記薬品カセットを当該薬品情報に対応して予め設定された駆動条件に従って駆動させて前記薬品情報に対応する薬品を払い出す駆動処理部とを備える。そして、前記割当処理部が、前記ユーザー操作で選択された前記薬品カセット又は前記装着部に対して既に前記薬品情報が割り当てられている場合は、当該薬品カセット又は当該装着部への前記薬品情報の割り当てを実行しない。【選択図】図１
2019068934.tif 000002
【特許請求の範囲】
【請求項１】
任意の種類の薬品を払出可能な複数の薬品カセットと、
払出対象の薬品情報をユーザー操作で選択される前記薬品カセット又は当該薬品カセットの装着部に割り当て可能な割当処理部と、
前記薬品情報が割り当てられた前記薬品カセット又は前記薬品情報が割り当てられた前記装着部に装着された前記薬品カセットを当該薬品情報に対応して予め設定された駆動条件に従って駆動させて前記薬品情報に対応する薬品を払い出す駆動処理部と、
を備え、
前記割当処理部が、前記ユーザー操作で選択された前記薬品カセット又は前記装着部に対して既に前記薬品情報が割り当てられている場合は、当該薬品カセット又は当該装着部への前記薬品情報の割り当てを実行しない、
薬品払出装置。
【請求項２】
前記割当処理部が、前記ユーザー操作で選択された前記薬品カセット又は前記装着部に対して既に前記薬品情報が割り当てられている場合はその旨を報知する、
請求項１に記載の薬品払出装置。
【請求項３】
前記割当処理部が、前記ユーザー操作で選択された前記薬品カセット又は前記装着部に対して既に前記薬品情報が割り当てられている場合は、当該薬品カセット又は当該装着部への前記薬品情報の割り当てを解除する解除条件が満たされた場合に、該薬品カセット又は当該装着部への前記薬品情報の割り当てを実行可能である、
請求項１又は２に記載の薬品払出装置。
【請求項４】
前記割当処理部は、前記薬品カセットのうち前記薬品情報について予め対応付けられた条件に適合する前記薬品カセットを表示する、
請求項１〜３のいずれかに記載の薬品払出装置。
【請求項５】
前記薬品カセット、予め定められた特定種類の薬品を払出可能な薬品特定カセット、又は複数のマスに収容された薬品を前記マスごとに払い出す手撒きユニットに薬品を投入する際に留意すべき前記薬品について予め設定された留意事項を報知する報知処理部を備える、
請求項１〜４のいずれかに記載の薬品払出装置。
【請求項６】
前記割当処理部は、前記駆動処理部による薬品の払い出し開始後に当該薬品の払い出しが中断された後、当該払い出しの再実行に際して、ユーザー操作に応じて前記薬品情報を前記薬品カセットに割り当て可能である、
請求項１〜５のいずれかに記載の薬品払出装置。
【請求項７】
前記薬品カセットの使用の有無をユーザー操作に応じて予め設定する設定処理部を備え、
前記割当処理部は、前記薬品カセットの使用が有りに設定されている場合に、前記薬品情報を前記薬品カセットに割り当て可能である、
請求項１〜６のいずれかに記載の薬品払出装置。
【請求項８】
予め定められた特定種類の薬品を払出可能な薬品特定カセットと、複数のマスに収容された薬品を前記マスごとに払い出す手撒きユニットと、を備え、
前記割当処理部は、記薬品カセットの使用が無しに設定されている場合であって、前記薬品特定カセットで払出可能ではない薬品の払い出し元を、前記手撒きユニットに割り当てる、
請求項７に記載の薬品払出装置。
【請求項９】
任意の種類の薬品を払出可能な複数の薬品カセットを備える薬品払出装置を制御するプロセッサーに、
払出対象の薬品情報をユーザー操作で選択される前記薬品カセット又は当該薬品カセットの装着部に割り当て可能な割当ステップと、
前記薬品情報が割り当てられた前記薬品カセット又は前記薬品情報が割り当てられた前記装着部に装着された前記薬品カセットを当該薬品情報に対応して予め設定された駆動条件に従って駆動させて前記薬品情報に対応する薬品を払い出す駆動ステップと、
を実行させるための薬品払出プログラムであって、
前記割当ステップでは、前記ユーザー操作で選択された前記薬品カセット又は前記装着部に対して既に前記薬品情報が割り当てられている場合は、当該薬品カセット又は当該装着部への前記薬品情報の割り当てが実行されない、
薬品払出プログラム。
【発明の詳細な説明】
【技術分野】
【０００１】
本発明は、複数の薬品カセットから自動的に薬品を払い出す薬品払出装置に関する。
【背景技術】
【０００２】
一般に、予め定められた種類の薬品が収容される複数の薬品カセットを備えており、薬品カセット各々に収容された薬品を自動的に払い出す薬品払出装置が知られている。また、薬品の形状に合わせて駆動条件が変更されることにより任意の種類の薬品を払い出し可能な可変カセットを備える薬品払出装置も知られている（例えば特許文献１参照）。
【先行技術文献】
【特許文献】
【０００３】
【特許文献１】特許第５８１２２２８号公報
【発明の概要】
【発明が解決しようとする課題】
【０００４】
ところで、任意の種類の薬品を払い出し可能な可変カセットを備える薬品払出装置では、払出対象の薬品を割り当てる可変カセットを複数の可変カセットから選択するための操作がユーザーによって行われることがある。しかしながら、既に薬品情報が割り当てられた可変カセットに対して新たに薬品情報が割り当てられると、可変カセットと薬品情報との対応関係が誤って変更されるおそれがある。
【０００５】
本発明の目的は、可変カセットの適正な使用を支援することのできる薬品払出装置及び薬品払出プログラムを提供することにある。
【課題を解決するための手段】
【０００６】
本発明に係る薬品払出装置は、任意の種類の薬品を払出可能な複数の薬品カセットと、払出対象の薬品情報をユーザー操作で選択される前記薬品カセット又は当該薬品カセットの装着部に割り当て可能な割当処理部と、前記薬品情報が割り当てられた前記薬品カセット又は前記薬品情報が割り当てられた前記装着部に装着された前記薬品カセットを当該薬品情報に対応して予め設定された駆動条件に従って駆動させて前記薬品情報に対応する薬品を払い出す駆動処理部と、を備える。そして、前記割当処理部が、前記ユーザー操作で選択された前記薬品カセット又は前記装着部に対して既に前記薬品情報が割り当てられている場合は、当該薬品カセット又は当該装着部への前記薬品情報の割り当てを実行しない。
【０００７】
本発明に係る薬品払出プログラムは、任意の種類の薬品を払出可能な複数の薬品カセットを備える薬品払出装置を制御するプロセッサーに、払出対象の薬品情報をユーザー操作で選択される前記薬品カセット又は当該薬品カセットの装着部に割り当て可能な割当ステップと、前記薬品情報が割り当てられた前記薬品カセット又は前記薬品情報が割り当てられた前記装着部に装着された前記薬品カセットを当該薬品情報に対応して予め設定された駆動条件に従って駆動させて前記薬品情報に対応する薬品を払い出す駆動ステップと、を実行させるためのプログラムである。そして、前記割当ステップでは、前記ユーザー操作で選択された前記薬品カセット又は前記装着部に対して既に前記薬品情報が割り当てられている場合は、当該薬品カセット又は当該装着部への前記薬品情報の割り当てが実行されない。
【発明の効果】
【０００８】
本発明によれば、可変カセットの適正な使用を支援することのできる薬品払出装置及び薬品払出プログラムが提供される。
【図面の簡単な説明】
【０００９】
【図１】図１は、本発明の実施形態に係る薬品払出装置の外観図である。
【図２】図２は、本発明の実施形態に係る薬品払出装置のシステム構成を示すブロック図である。
【図３】図３は、本発明の実施形態に係る薬品払出装置の固定カセットの構成を説明するための斜視図である。
【図４】図４は、本発明の実施形態に係る薬品払出装置の可変カセットの構成を説明するための斜視図である。
【図５】図５は、本発明の実施形態に係る薬品払出装置の可変カセットの構成を説明するための斜視図である。
【図６】図６は、本発明の実施形態に係る薬品払出装置の可変カセットの構成を説明するための斜視図である。
【図７】図７は、本発明の実施形態に係る薬品払出装置の可変カセットの装着部の構成を説明するための斜視図である。
【図８】図８は、本発明の実施形態に係る薬品払出装置における錠剤の分包結果の一例を示す図である。
【図９】図９は、本発明の実施形態に係る薬品払出装置で使用される割当情報の一例を示す図である。
【図１０】図１０は、本発明の実施形態に係る薬品払出装置で使用される駆動対応情報の一例を示す図である。
【図１１】図１１は、本発明の実施形態に係る薬品払出装置で実行される薬品払出処理の手順の一例を説明するためのフローチャートである。
【図１２】図１２は、本発明の実施形態に係る薬品払出装置で実行される分包制御処理の手順の一例を説明するためのフローチャートである。
【図１３】図１３は、本発明の実施形態に係る薬品払出装置で実行されるカセット選択処理の手順の一例を説明するためのフローチャートである。
【図１４】図１４は、本発明の実施形態に係る薬品払出装置で表示される表示画面の一例を示す図である。
【図１５】図１５は、本発明の実施形態に係る薬品払出装置で表示される表示画面の一例を示す図である。
【図１６】図１６は、本発明の実施形態に係る薬品払出装置で表示される表示画面の一例を示す図である。
【図１７】図１７は、本発明の実施形態に係る薬品払出装置で実行される中断再開処理の手順の一例を説明するためのフローチャートである。
【図１８】図１８は、本発明の実施形態に係る薬品払出装置で実行される中断再開処理の手順の一例を説明するためのフローチャートである。
【図１９】図１９は、本発明の実施形態に係る薬品払出装置で使用される割当情報の一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［第１実施形態］
まず、図１及び図２を参照しつつ、本発明の第１実施形態に係る薬品払出装置１００の概略構成について説明する。
【００１２】
図１及び図２に示すように、前記薬品払出装置１００は、処方制御ユニット１、錠剤供給ユニット２、散薬供給ユニット３、手撒きユニット４、分包ユニット５、分包制御ユニット６、及びバーコードリーダー７などを備えている。
【００１３】
前記処方制御ユニット１、前記錠剤供給ユニット２、前記散薬供給ユニット３、前記手撒きユニット４、前記分包ユニット５、及び前記分包制御ユニット６は内部バスＮ１によって接続されている。さらに、前記処方制御ユニット１及び前記バーコードリーダー７は、無線ＬＡＮ又はＢｌｕｅｔｏｏｔｈ（登録商標）などの通信規格に従って無線通信可能である。そして、前記薬品払出装置１００は、前記処方制御ユニット１及び前記分包制御ユニット６によって制御され、前記錠剤供給ユニット２、前記散薬供給ユニット３、及び前記手撒きユニット４から供給される錠剤及び散薬などの薬品を服用時期などの分包単位で前記分包ユニット５により分包して払い出す。
【００１４】
［錠剤供給ユニット２］
前記錠剤供給ユニット２は、予め定められた特定種類の錠剤を１錠（単位量）ごとに払出可能な複数の固定カセット２１と、駆動条件の変更により任意の種類の錠剤を１錠（単位量）ごとに払出可能な複数の可変カセット２２（薬品カセットの一例）とを備える。
【００１５】
具体的に、図１に示す例では、前記固定カセット２１が縦６×横９の合計５４台設けられ、その下方に前記可変カセット２２が縦１×横４の合計４台設けられている。なお、前記固定カセット２１及び前記可変カセット２２により払出可能な前記錠剤には、円盤状、球状、又はカプセル状などの各種形態の固形薬品が含まれる。
【００１６】
なお、前記錠剤供給ユニット２が、前記固定カセット２１を有さず、複数の前記可変カセット２２のみを有することも他の実施形態として考えられる。具体的に、前記固定カセット２１に代えて前記可変カセット２２が設けられることが考えられる。
【００１７】
前記固定カセット２１各々は、前記錠剤供給ユニット２に設けられた装着部２１１各々に着脱可能に構成されている。前記装着部２１１各々は、前記固定カセット２１を個別に駆動させる第１駆動部２３を備えている。前記第１駆動部２３各々は、駆動モーター２３１及びＲＦＩＤリーダライタ２３２を備える。前記駆動モーター２３１は、前記固定カセット２１の駆動機構に駆動力を供給する。前記ＲＦＩＤリーダライタ２３２は、前記固定カセット２１に設けられたＲＦＩＤタグ（不図示）に対してＲＦＩＤ（Ｒａｄｉｏ  Ｆｒｅｑｕｅｎｃｙ  Ｉｄｅｎｔｉｆｉｃａｔｉｏｎ）の無線通信技術を利用して情報を読み書きする情報読取手段である。
【００１８】
なお、前記ＲＦＩＤタグ（不図示）及び前記ＲＦＩＤリーダライタ２３２の設置箇所は、前記固定カセット２１が前記装着部２１１に装着された状態で前記ＲＦＩＤリーダライタ２３２による前記ＲＦＩＤタグ（不図示）の情報の読み書きが可能な範囲で相対的に定められていればよい。
【００１９】
前記ＲＦＩＤタグ（不図示）は、前記固定カセット２１各々を識別するためのカセット識別情報などが記憶される不揮発性の記録媒体であり、前記カセット識別情報は前記薬品払出装置１００の初期設定などにおいて前記処方制御ユニット１により書き込まれる。
【００２０】
前記可変カセット２２各々は、前記錠剤供給ユニット２に設けられた装着部２２１各々に着脱可能に構成されている。なお、前記可変カセット２２各々が前記装着部２２１に対して引き出し可能な構成も他の実施形態として考えられる。前記装着部２２１各々は、前記可変カセット２２を個別に駆動させる第２駆動部２４を備えている。
【００２１】
前記第２駆動部２４各々は、駆動モーター２４１〜２４４及びＲＦＩＤリーダライタ２４５を備える。前記駆動モーター２４１〜２４４は、前記可変カセット２２の駆動機構に駆動力を供給する。前記ＲＦＩＤリーダライタ２４５は、前記可変カセット２２に設けられたＲＦＩＤタグ２６（図６参照）に対してＲＦＩＤの無線通信技術を利用して情報を読み書きする情報読取手段である。
【００２２】
なお、前記ＲＦＩＤタグ２６及び前記ＲＦＩＤリーダライタ２４５の設置箇所は、前記可変カセット２２が前記装着部２２１に装着された状態で前記ＲＦＩＤリーダライタ２４５による前記ＲＦＩＤタグ２６の情報の読み書きが可能な範囲で相対的に定められていればよい。具体的には、前記装着部２２１各々の前記ＲＦＩＤリーダライタ２４５が、当該装着部２２１各々に装着されている前記可変カセット２２の前記ＲＦＩＤタグ２６のみと通信可能な位置関係で、前記ＲＦＩＤリーダライタ２４５及び前記ＲＦＩＤタグ２６が配置されていることが考えられる。即ち、前記装着部２２１の前記ＲＦＩＤリーダライタ２４５が当該装着部２２１に隣接する他の前記装着部２２１に装着された前記可変カセット２２の前記ＲＦＩＤ２６とは通信できない位置関係で前記ＲＦＩＤリーダライタ２４５及び前記ＲＦＩＤタグ２６が配置される。また、前記装着部２２１各々の間に電磁波を遮蔽する電磁波遮蔽部材が設けられていてもよい。
【００２３】
前記ＲＦＩＤタグ２６は、前記可変カセット２２各々を識別するためのカセット識別情報、及び後述の薬品払出処理（図１１参照）において前記可変カセット２２に割り当てられた薬品情報などが記録される不揮発性の記録媒体である。
【００２４】
前記薬品情報は、錠剤（薬品）の種類を識別可能な情報であって、例えば薬品名、薬ＩＤ、薬品コード、ＪＡＮコード、ＲＳＳコード、ＱＲコード（登録商標）などである。なお、前記ＪＡＮコード及び前記ＲＳＳコードは、一次元コード（バーコード、ＧＳ１コード）で表現される数値又は文字の情報であり、前記ＱＲコード（登録商標）は、二次元コードで示される数値又は文字の情報である。
【００２５】
ところで、前記可変カセット２２の数と前記装着部２２１の数とは一致していなくてもよい。例えば、ユーザーが、前記装着部２２１の数よりも多い数の前記可変カセット２２から任意の前記可変カセット２２を選択して前記装着部２２１に装着可能であることが考えられる。特に、一つの前記装着部２２１ごとに対応して装着可能な複数の前記可変カセット２２を備える構成が考えられる。この点は、前記固定カセット２１及び前記装着部２１１についても同様である。
【００２６】
［固定カセット２１］
ここで、図３を参照しつつ、前記固定カセット２１の一例について説明する。なお、ここで説明する前記固定カセット２１の構造は一例に過ぎず、同様の機能を有するものであれば他の構造であってもよい。なお、図３は、前記固定カセット２１の上部を覆うカバー部材を省略した図である。
【００２７】
前記固定カセット２１各々では、収容される錠剤の種類が予め定められているため、例えば前記固定カセット２１各々の前面には、前記固定カセット２１に収容される錠剤の薬品情報が予め記載されている。
【００２８】
図３に示すように、前記固定カセット２１は、多数の錠剤が収容される錠剤収容部２１２、及び剤前記錠剤収容部２１２に収容された錠剤を個別に排出する錠剤排出部２１３を備えている。前記錠排出部２１３は、前記錠剤収容部２１２の略中央部に形成された凹部に設けられており、前記錠剤収容部２１２内の錠剤は前記錠剤排出部２１３に向けて順次下降する。
【００２９】
前記錠剤排出部２１３は、前記固定カセット２１の筐体で回転可能に支持されたローター２１４と、前記ローター２１４の外周を覆う内壁２１４Ａとを備えている。前記ローター２１４は、前記固定カセット２１が前記装着部２１１に装着されたときに、各種のギアなどの駆動伝達系（不図示）を介して前記第１駆動部２３の前記駆動モーター２３１に連結される。また、前記ローター２１４の外周面には、予め定められた配置間隔でリブ２１５及びリブ２１６が形成されている。これにより、前記ローター２１４の外周には、前記リブ２１５、前記リブ２１６、及び前記内壁２１４Ａによって囲まれた間隙２１７が間欠的に形成されている。前記間隙２１７の幅は、前記固定カセット２１に収容される錠剤として予め定められた錠剤の種類に応じて定められており、前記錠剤の１錠分の幅に相当する。
【００３０】
また、前記リブ２１５及び前記リブ２１６の間には前記ローター２１４の外周面全体に亘る間隙２１８が形成されている。ここで、前記リブ２１５及び前記リブ２１６各々の上端の高さは、前記固定カセット２１に収容される錠剤として予め定められた錠剤の種類に応じて定められている。具体的に、図３に示す前記リブ２１５の上端の高さは前記錠剤の３錠分の高さに相当するものであり、前記ローター２１３の前記間隙２１７各々には前記錠剤が３錠ずつ挿入される。また、前記リブ２１６の上端の高さは、前記錠剤の１錠分の高さに相当する。
【００３１】
一方、前記内壁２１４Ａには、前記ローター２１４から錠剤を排出するための排出口２１９が形成されており、前記排出口２１９には前記間隙２１８に挿入される仕切板２２０が設けられている。これにより、前記排出口２１９では、前記間隙２１７に挿入されている３錠の錠剤のうち、上の２錠は前記仕切板２２０によって落下が規制され、下の１錠のみが排出される。従って、前記固定カセット２１では、前記駆動モーター２３１によって前記ローター２１４が駆動されることにより、前記錠剤収容部２１２に収容された錠剤が１錠単位で払い出される。
【００３２】
［可変カセット２２］
次に、図４〜図７を参照しつつ、前記可変カセット２２の一例について説明する。なお、ここで説明する前記可変カセット２２の構造は一例に過ぎず、任意の錠剤を１錠ずつ払い出すことが可能なものであれば他の構造であってもよい。例えば、特表２０１０−５３５６８３号公報又は特開２０１０−１１５４９３号公報には、前記可変カセット２２の他の例が開示されている。
【００３３】
図４〜図６に示すように、前記可変カセット２２は、多数の錠剤が収容される錠剤収容部２２２と、前記錠剤収容部２２２から錠剤を払い出す第１回転体２２３及び第２回転体２２４とを備えている。なお、図４〜図６は、前記可変カセット２２の上部を覆うカバー部材を省略した図である。また、前記可変カセット２２は、予め定められた単位量ごとに錠剤を払い出すことが可能であればよく、例えば１錠単位ではなく複数錠ごとの払い出しが可能な構成であってもよい。
【００３４】
前記第１回転体２２３は、前記錠剤収容部２２２の底面を構成する円盤状の部材である。前記第１回転体２２３の回転軸は鉛直方向に対して予め定められた所定角度だけ傾斜しており、前記第１回転体２２３の上面が水平面に対して前記所定角度だけ傾斜している。また、前記第１回転体２２３の上面には放射状のリブ２２３Ａが所定間隔ごとに形成されている。そして、前記第１回転体２２３は、前記可変カセット２２の筐体によって回転可能に支持されており、図５及び図６に示す駆動ギア２２３Ｂに連結されている。
【００３５】
前記第２回転体２２４は、平面視で前記第１回転体２２３の周囲に配置された中空環状の部材であって、前記錠剤収容部２２２の錠剤を払出口２２５に搬送して前記払出口２２５から払い出す搬送部材の一例である。また、前記第１回転体２２３の上端部は、前記第２回転体２２４と同一水平面上に位置している。そして、前記第２回転体２２４は、前記可変カセット２２の筐体によって回転可能に支持されており、図６に示す駆動ギア２２４Ａが外周面に形成されている。
【００３６】
一方、図７に示すように、前記装着部２２１は、前記可変カセット２２が装着されたときに前記第１回転体２２３の前記駆動ギア２２３Ｂに連結される駆動ギア２２１Ａ、及び前記第２回転体２２４の前記駆動ギア２２４Ａに連結される駆動ギア２２１Ｂを備える。前記駆動ギア２２１Ａは、前記第２駆動部２４の前記駆動モーター２４１に連結されており、前記駆動ギア２２１Ｂは、前記第２駆動部２４の前記駆動モーター２４２に連結されている。
【００３７】
さらに、図４及び図５に示すように、前記可変カセット２２は、前記第２回転体２２４により前記払出口２２５まで搬送される前記錠剤の払出経路上に配置された高さ規制部材２２６及び幅規制部材２２７を備えている。
【００３８】
前記高さ規制部材２２６は、前記第２回転体２２４により前記払出口２２５まで搬送可能な錠剤の高さ方向のサイズを規制し、前記幅規制部材２２７は、前記第２回転体２２４により前記払出口２２５まで搬送可能な錠剤の幅方向のサイズを規制する。これにより、前記可変カセット２２では、前記第２回転体２２４に載置された錠剤のうち前記高さ規制部材２２６により規制される高さｈ１及び前記幅規制部材２２７により規制される幅ｗ１に収まる錠剤のみが前記払出口２２５から払い出される。従って、前記可変カセット２２では、前記高さｈ１及び前記幅ｗ１が前記錠剤収容部２２２に収容される錠剤の１錠分の高さ及び幅以上であって少なくとも２錠分の高さ及び幅より小さい場合に、その錠剤を１錠単位で払い出すことが可能である。より詳細に、前記可変カセット２２では、前記第２回転体２２４上に錠剤の重心が存在する場合に当該錠剤が前記第２回転体２２４上に残る可能性があるため、前記幅規制部材２２７によって規制される幅ｗ１が、当該錠剤の０．５錠分の幅以上であって当該錠剤の１．５錠分の幅よりも小さく設定されることが考えられる。
【００３９】
そして、前記可変カセット２２は、前記高さ規制部材２２６により規制される前記高さｈ１を変更するための高さ調整部２２６Ａと、前記幅規制部材２２７により規制される前記幅ｗ１を変更するための幅調整部２２７Ａとを備えている。前記幅調整部２２７Ａの外周面には、前記幅規制部材２２７に形成された長穴２２７Ｂの内周面に形成されたラック（ギア）に噛合されたピニオンギアが形成されている。
【００４０】
前記高さ調整部２２６Ａは、前記可変カセット２２の筐体によって回転可能に支持されており、図６に示す駆動ギア２２６Ｂに連結されている。前記高さ調整部２２６Ａは、回転駆動されることにより前記高さ規制部材２２６の下端部の位置を上下に移動させ、前記高さ規制部材２２６により規制される前記高さｈ１を変更する。
【００４１】
前記幅調整部２２７Ａは、前記可変カセット２２の筐体によって回転可能に支持されており、図６に示す駆動ギア２２７Ｃに連結されている。前記幅調整部２２７Ａは、前記駆動ギア２２７Ｃが回転駆動されることにより前記幅規制部材２２７の前記錠剤収容部２２２側への突出量を変更し、前記幅規制部材２２７により規制される前記幅ｗ１を変更する。具体的に、前記幅規制部材２２７の前記錠剤収容部２２２側への突出量は、前記駆動ギア２２７Ｃの回転により前記幅調整部２２７Ａ及び前記長穴２２７Ｂ各々が矢印Ｒ３方向（図４参照）に相対的に移動することによって変更される。
【００４２】
一方、図７に示すように、前記装着部２２１は、前記可変カセット２２が装着されたときに前記駆動ギア２２６Ｂに連結される駆動ギア２２１Ｃ、及び前記駆動ギア２２７Ｃに連結される駆動ギア２２１Ｄを備えている。前記駆動ギア２２１Ｃは、前記第２駆動部２４の前記駆動モーター２４３に連結されており、前記駆動ギア２２１Ｄは、前記第２駆動部２４の前記駆動モーター２４４に連結されている。これにより、前記高さ規制部材２２６及び前記幅規制部材２２７は、前記駆動モーター２４３、２４４によって駆動可能である。
【００４３】
なお、図６及び図７に示すように、前記可変カセット２２及び前記装着部２２１は、前記可変カセット２２が前記装着部２２１に装着されたときに連結される駆動ギア２２８Ａ及び駆動ギア２２８Ｂを備えている。前記駆動ギア２２８Ａは、前記第１回転体２２３を上下方向に昇降させる不図示の昇降機構に連結されており、前記駆動ギア２２８Ｂは不図示の駆動モーターに連結されている。これにより、前記駆動モーターが駆動されると、前記駆動ギア２２８Ｂから前記駆動ギア２２８Ａに駆動力が伝達され、前記昇降機構により前記第１回転体２２３が昇降可能である。従って、前記薬品払出装置１００では、前記第１回転体２２３を昇降させることにより、前記錠剤収容部２２２内の容積を変更することが可能であり、前記錠剤収容部２２２内に収容可能な錠剤数を任意に調整することが可能である。そのため、前記可変カセット２２は、収容される錠剤数が少ない用途、及び収容される錠剤数が多い用途の両方で使用可能である。
【００４４】
そして、前記可変カセット２２では、前記第１回転体２２３が回転方向Ｒ１（図４及び図５参照）に回転されると、前記錠剤収容部２２２の錠剤が前記第１回転体２２３から前記第２回転体２２４に排出される。また、前記可変カセット２２では、前記第２回転体２２４が回転方向Ｒ２（図４及び図５参照）に回転されると、前記第２回転体２２４上の錠剤が前記払出口２２５に向けて搬送される。
【００４５】
但し、前記第２回転体２２４により搬送される錠剤のうち高さ方向に積み重なった錠剤は前記高さ規制部材２２６に接触して前記錠剤収容部２２２に戻される。また、前記第２回転体２２４により搬送される錠剤のうち幅方向に並んで搬送されている錠剤は前記幅規制部材２２７に接触して前記錠剤収容部２２２に戻される。
【００４６】
これにより、前記可変カセット２２では、前記高さ規制部２２６により規制される前記高さｈ１及び前記幅規制部材２２７により規制される前記幅ｗ１に対応するサイズの錠剤は、前記第２回転体２２４上の周方向に１錠ずつ並んだ状態で前記払出口２２５まで搬送される。そのため、前記可変カセット２２では、前記錠剤収容部２２２に収容された錠剤を１錠単位で払い出すことが可能であり、前記錠剤の払出量を制御することが可能である。
【００４７】
このように、前記可変カセット２２を用いれば、前記高さ規制部材２２６により規制される前記高さｈ１及び前記幅規制部材２２７により規制される前記幅ｗ１が変更可能であるため、任意の種類の錠剤を１錠単位で払い出すことが可能である。
【００４８】
また、前記可変カセット２２各々には、図１及び図４に示すように、表示内容が変更可能な表示部２５が設けられている。ここに、前記表示部２５は、通電により表示内容が書き込まれると、その後は無通電状態でも前記表示内容の表示が維持される電子ペーパーである。
【００４９】
具体的に、前記可変カセット２２及び前記装着部２２１各々には前記可変カセット２２が前記装着部２２１に装着されたときに接続される接点式のコネクタ（不図示）が設けられている。ここで、前記可変カセット２２側の前記コネクタには前記表示部２５が接続されており、前記装着部２２１側の前記コネクタには前記処方制御ユニット１が接続されている。そして、前記可変カセット２２が前記装着部２２１に装着されると、前記表示部２５及び前記処方制御ユニット１が前記コネクタによって電気的に接続される。これにより、前記処方制御ユニット１は、前記表示部２５各々の表示を変更することが可能になる。なお、前記表示部２５は、電子ペーパーに限らず、液晶ディスプレイ等の他の表示手段であってもよい。また、前記表示部２５は、前記可変カセット２２各々に対応して前記可変カセット２２が装着される前記装着部２２１に設けられることも考えられる。
【００５０】
さらに、前記可変カセット２２各々には、図６に示すように、各種の情報を記憶するＲＦＩＤタグ２６が内蔵されている。前記ＲＦＩＤタグ２６は、前記ＲＦＩＤリーダライタ２４５により記憶情報の書き換えが可能な不揮発性の記録媒体であって、前述したように前記可変カセット２２各々のカセット識別情報、及び前記可変カセット２２各々に割り当てられた前記薬品情報などの記憶に用いられる。前記ＲＦＩＤタグ２６は、前記可変カセット２２各々に設けられる制御基板に搭載されたものであり、前記制御基板は前記処方制御ユニット１からの制御信号に従って前記可変カセット２２の前記表示部２５の表示を変更する機能も有している。なお、前記制御基板には、前記コネクタを介して供給される電力、前記制御基板に搭載された電池などの蓄電部から供給される電力、又は前記ＲＦＩＤタグ２６への情報の書き込み時に供給される電力により駆動する電気回路が搭載されている。また、前記可変カセット２２各々が、前記ＲＦＩＤタグ２６に代えて、前記処方制御ユニット１が前記コネクタを介して情報を読み書きすることのできるＥＥＰＲＯＭ等の他の記録媒体を有することも他の実施形態として考えられる。
【００５１】
［散薬供給ユニット３］
図１に示すように、前記散薬供給ユニット３は、二つの投入部３１、３２を備えており、前記投入部３１、３２各々に投入された散薬を、前記処方制御ユニット１により予め設定される服用時期などの分包単位で前記分包ユニット５に供給する。
【００５２】
具体的に、前記散薬供給ユニット３は、前記投入部３１に投入された散薬を円盤上に均等に展開して前記分包単位に相当する所定角度ごとに掻き出す払出部、及び前記投入部３２に投入された散薬を円盤上に均等に展開して前記分包単位に相当する所定角度ごとに掻き出す払出部の二組の払出部を備えている。なお、前記散薬供給ユニット３に投入される散薬は、患者に処方する処方薬の総量として予め秤量装置を用いて計量されたものである。
【００５３】
［手撒きユニット４］
前記手撒きユニット４は、予め設定された服用時期などの分包単位で錠剤が投入されるマスが複数設けられた手撒き収容部と、前記マス各々に収容された前記錠剤を前記マスごとに前記分包ユニット５に払い出す手撒き払出部とを備える。前記手撒き収容部では、複数の前記マスがマトリクス状に配置されている。前記手撒き払出部は、例えば前記手撒き収容部の前記マスの底面を個別に開閉することにより前記マスに収容された錠剤を払い出すことが可能な構成が考えられる。前記薬品払出装置１００において、前記手撒きユニット４は、例えば１錠より小さい半錠などの錠剤を払い出すために用いられるものであり、従来周知であるためここでは説明を省略する。なお、従来、前記手撒きユニット４は、前記固定カセット２１に予め収容されていない任意の錠剤を払い出す際にも用いられていたが、前記薬品払出装置１００では、任意の錠剤は前記可変カセット２２を利用して払い出すことが可能である。もちろん、前記固定カセット２１に収容されていない任意の錠剤の払い出しに前記手撒きユニット４を用いることも可能である。
【００５４】
［分包ユニット５］
前記分包ユニット５は、前記錠剤供給ユニット２、前記散薬供給ユニット３、及び前記手撒きユニット４から供給された薬品を服用時期などの分包単位で一つの分包紙に収容する。例えば、前記分包ユニット５は、透明又は半透明のロール状の薬包シートにより前記分包単位で薬品を包装して溶着等により封止する。これにより、前記分包単位で薬品が収容された前記薬包シートが前記分包ユニット５から排出される。
【００５５】
ここに、図８は、前記分包ユニット５から排出される薬包シート５１の一例を示す図である。図８に示すように、前記薬包シート５１には、前記分包単位で複数の錠剤が包装された複数の分包紙５２が連続して形成されており、前記分包紙５２各々の間には前記分包紙５２各々を容易に切り離すための切り取り点線５２Ａ（ミシン目）が形成されている。なお、処方データに散薬が含まれている場合には、前記分包ユニット５において、前記散薬供給ユニット３から供給された散薬を前記分包紙５２に合包することも可能である。また、前記分包ユニット５には、前記分包紙５２各々に情報を印刷する印刷部（不図示）が設けられており、前記分包紙５２各々の表面には、前記印刷部（不図示）によって患者の氏名、服用時期、処方薬、又は処方量などの処方情報が印刷可能である。
【００５６】
［分包制御ユニット６］
前記分包制御ユニット６は、図２に示すように、制御部６１及び記憶部６２を備え、前記錠剤供給ユニット２、前記散薬供給ユニット３、前記手撒きユニット４、及び前記分包ユニット５などを制御することにより前記薬品払出装置１００に分包動作を実行させる。なお、前記分包制御ユニット６は、前記薬品払出装置１００に内蔵されている。
【００５７】
前記制御部６１は、ＣＰＵ、ＲＡＭ、ＲＯＭ及びＥＥＰＲＯＭなどを有する制御手段である。前記制御部６１は、前記ＲＯＭ、前記ＥＥＰＲＯＭ、又は前記記憶部６２などの記憶手段に予め記憶された各種のプログラムに従った各種の処理を前記ＣＰＵによって実行する。なお、前記ＲＡＭ及び前記ＥＥＰＲＯＭは、前記ＣＰＵによって実行される各種の処理の一時記憶メモリー（作業領域）として利用される。なお、前記制御部６１は、ＡＳＩＣ又はＤＳＰなどの集積回路であってもよい。
【００５８】
前記記憶部６２は、各種のデータを記憶するハードディスク装置又はＳＳＤ（ＳｏｌｉｄＳｔａｔｅＤｒｉｖｅ）などの記憶手段である。具体的に、前記記憶部６２には、前記制御部６１等のコンピュータに後述の分包制御処理（図１２）を実行させるための第１薬品払出プログラムが予め記憶されている。なお、前記第１薬品払出プログラムは、例えばＣＤ、ＤＶＤ、又は半導体メモリーなどのコンピュータ読み取り可能な記録媒体に記録されており、不図示のディスクドライブなどの読取装置によって前記記録媒体から読み取られて前記記憶部１２にインストールされる。本発明は、前記第１薬品払出プログラムを記録したコンピュータ読み取り可能な前記記録媒体の発明として捉えることができる。
【００５９】
［バーコードリーダー７］
前記バーコードリーダー７は、薬品を識別するコードを読み取るものであり、薬局の薬品棚などに設けられた錠剤の収容容器（箱、瓶など）又はＰＴＰシートなどに記載されたＪＡＮコード、ＲＳＳコード、又はＱＲコード（登録商標）を読み取る、例えばＰＤＡなどの携帯端末である。なお、前記バーコードリーダー７は、例えば薬剤師などが薬品のピッキングに使用する従来周知のピッキング補助装置などであってもよい。前記ピッキング補助装置は、薬剤師等が処方箋に従って薬品棚から薬品を取り出して手動で調剤する際に用いられ、例えば、前記収容容器に記載されたＪＡＮコードから薬品を読み取って、その読み取られた薬品と処方データとの照合を行う。
【００６０】
そして、前記バーコードリーダー７により読み取られた情報は、前記バーコードリーダー７から無線通信により前記処方制御ユニット１に入力される。このように無線通信を利用すれば、前記バーコードリーダー７を前記薬品払出装置１００又は前記薬品棚などに自由に持ち運び可能であり、前記可変カセット２２への錠剤の投入作業を任意の場所で行うことも可能となる。もちろん、前記バーコードリーダー７が前記処方制御ユニット１に有線接続されることも考えられる。なお、薬局内に前記薬品払出装置１００が複数台設けられる場合には、前記薬品払出装置１００各々に予め対応付けられた前記バーコードリーダー７が個別に設けられる。
【００６１】
［処方制御ユニット１］
前記処方制御ユニット１は、前記薬品払出装置１００を統括的に制御するコンピュータである。図１及び図２に示すように、前記処方制御ユニット１は、制御部１１、記憶部１２、モニター１３、操作部１４、及び通信ＩＦ１５等を備える。
【００６２】
前記制御部１１は、ＣＰＵ、ＲＡＭ、ＲＯＭ及びＥＥＰＲＯＭなどを有する制御手段である。前記制御部１１は、前記ＲＯＭ、前記ＥＥＰＲＯＭ、又は前記記憶部１２などの記憶手段に予め記憶された各種のプログラムに従った各種の処理を前記ＣＰＵによって実行する。なお、前記ＣＰＵは、各種の処理を実行するプロセッサーであり、前記ＲＡＭ及び前記ＥＥＰＲＯＭは、前記ＣＰＵによって実行される各種の処理の一時記憶メモリー（作業領域）として利用される。なお、前記制御部１１は、ＡＳＩＣ又はＤＳＰなどの集積回路であってもよい。
【００６３】
前記記憶部１２は、各種のデータを記憶するハードディスク装置又はＳＳＤ（ＳｏｌｉｄＳｔａｔｅＤｒｉｖｅ）などの記憶手段である。具体的に、前記記憶部１２には、前記制御部１１等のコンピュータに後述の薬品払出処理（図１１参照）を実行させるための第２薬品払出プログラムが予め記憶されている。
【００６４】
具体的に、前記制御部１１は、表示処理部１１１、受付処理部１１２、及び割当処理部１１３を含む。前記制御部１１は、前記第２薬品払出プログラムに従って各種の処理を実行することにより前記表示処理部１１１、前記受付処理部１１２、及び前記割当処理部１１３として機能する。
【００６５】
後述の薬品払出処理（図１１参照）で説明するように、前記表示処理部１１１は、前記可変カセット２２各々を選択するための複数の選択領域が前記薬品払出装置１００における前記可変カセット２２各々の配列と同じ配列で表示される選択画面を表示することが可能である。前記受付処理部１１２は、前記選択画面における前記選択領域の選択操作を受け付けることが可能である。また、前記受付処理部１１２は、払出対象となる薬品情報の入力操作を受け付けることも可能である。前記割当処理部１１３は、前記受付処理部１１２で受け付けられた前記選択領域に対応する前記可変カセット２２に、払出対象の薬品情報を割り当てることが可能である。
【００６６】
なお、前記第２薬品払出プログラムは、例えばＣＤ、ＤＶＤ、又は半導体メモリーなどのコンピュータ読み取り可能な記録媒体に記録されており、不図示のディスクドライブなどの読取装置によって前記記録媒体から読み取られて前記記憶部１２にインストールされる。本発明は、前記第２薬品払出プログラムを記録したコンピュータ読み取り可能な前記記録媒体の発明として捉えることができる。なお、本実施形態では、前記第１薬品払出プログラム及び前記第２薬品払出プログラムが前記薬品払出装置１００に各種の処理を実行させるための薬品払出プログラムの一例である。
【００６７】
また、前記薬品払出装置１００が、前記分包制御ユニット６を有しておらず、前記処方制御ユニット１が前記分包制御ユニット６としても機能することが考えられる。具体的には、前記記憶部１２に、前記第１薬品払出プログラム及び前記第２薬品払出プログラムが統合された薬品払出プログラムが記憶されており、前記制御部１１が、前記薬品払出プログラムに従って後述の薬品払出処理及び分包制御処理を実行することが考えられる。本発明は、前記薬品払出プログラムを記録したコンピュータ読み取り可能な前記記録媒体の発明として捉えることもできる。
【００６８】
また、前記記憶部１２には、例えば医薬品マスター、患者マスター、カセットマスター、及び薬局マスターなどの各種のデータベースも記憶されている。なお、前記制御部１１は、例えばＣＤ、ＤＶＤ、又は半導体メモリーなどの記録媒体から不図示のディスクドライブなどの読取装置によって読み取られたデータに基づいて、前記記憶部１２に記憶されている前記各種のデータベースを更新することが可能である。また、前記制御部１１は、前記操作部１４に対するユーザー操作に応じて前記各種のデータベースの内容を変更することも可能である。
【００６９】
前記医薬品マスターには、薬ＩＤ、薬品コード、薬品名、ＪＡＮコード（又はＲＳＳコード）、薬瓶コード、区分（剤形：散薬、錠剤、水剤、外用薬など）、錠剤のサイズ（高さ及び幅）、比重、薬品種（普通薬、毒薬、麻薬、劇薬、抗精神薬、治療薬など）、配合変化、賦形薬品、注意事項などの医薬品各々に関する情報が含まれる。前記患者マスターには、患者ＩＤ、氏名、性別、年齢、既往歴、処方薬履歴、家族情報、診療科、病棟、及び病室などの患者に関する情報が含まれる。前記薬局マスターには、薬局名、薬剤師の氏名、薬剤師のＩＤなどの薬局に関する情報が含まれる。また、前記カセットマスターは、前記装着部２１１に装着された前記固定カセット２１各々のカセット識別情報と前記固定カセット２１各々に割り当てられた前記薬品情報との対応関係を示す情報である。前記カセットマスターは、例えば前記薬品払出装置１００の初期設定における前記操作部１４のユーザー操作に応じて前記制御部１１によって登録される。
【００７０】
さらに、前記記憶部１２には、前記可変カセット２２と前記薬品情報との割当状態を示す割当情報１２１、及び前記薬品情報と前記可変カセット２２の駆動条件との対応関係を示す駆動対応情報１２２が記憶されている。前記割当情報１２１及び前記駆動対応情報１２２は、前記制御部１１によって実行される後述の薬品払出処理で用いられる。
【００７１】
ここに、図９は前記割当情報１２１の一例を示す図であり、図１０は前記駆動対応情報１２２の一例を示す図である。
【００７２】
図９に示すように、前記割当情報１２１では、前記可変カセット２２各々に現在割り当てられている錠剤の種類を示す薬ＩＤが薬品情報として記憶されている。もちろん、前記薬ＩＤに代えて錠剤名称、薬品コード、ＪＡＮコード（又はＲＳＳコード）などの薬品情報が記憶されていてもよい。また、ここでは前記錠剤供給ユニット２において左から右に向かって順に並べられた４つの前記可変カセット２２に、カセット番号「Ｃ１」〜「Ｃ４」が前記カセット識別情報として予め設定されているものとする。前記カセット識別情報は、前記可変カセット２２各々の前記ＲＦＩＤタグ２６にも記憶されている。なお、前記割当情報１２１において、現在薬品情報が割り当てられていない前記可変カセット２２には未割当である旨が記憶されている。具体的に、図９に示す前記割当情報１２１では、前記可変カセット２２のうちカセット番号「Ｃ１」には薬ＩＤ「Ｍ１」の薬品情報、カセット番号「Ｃ３」には薬ＩＤ「Ｍ２」の薬品情報が割り当てられており、カセット番号「Ｃ２」及び「Ｃ４」には、まだ薬品情報が割り当てられていない旨が示されている。なお、図９に示す前記割当情報１２１のデータ構造は単なる一例に過ぎず、前記割当情報１２１は、例えば前記医薬品マスターの一つの項目として前記記憶部１２に記憶されたものであってもよい。この場合、前記医薬品マスターに含まれる薬品各々に対応付けて、その薬品に割り当てられた前記可変カセット２２の前記カセット識別情報が記憶される。
【００７３】
また、図１０に示すように、前記駆動対応情報１２２には、前記薬品情報ごとに対応して予め設定される駆動条件が記憶される。前記駆動条件には、前記可変カセット２２からの錠剤の払い出しを開始する前の前記可変カセット２２の調整に関する事前駆動条件、前記可変カセット２２からの錠剤の払い出し中の駆動制御に関する駆動中条件、及び前記可変カセット２２からの錠剤の払い出しを停止する際の駆動制御に関する駆動停止時条件の３種類の条件が含まれる。
【００７４】
具体的に、図１０に示す前記駆動対応情報１２２の例では、薬ＩＤが「Ｍ１」、「Ｍ２」、「Ｍ３」、「Ｍ４」である錠剤ごとに対応する前記駆動条件として、払出経路の高さ、払出経路の幅、払出速度、第１スローダウン、第２スローダウン、及び逆回転動作の各項目に関する情報が記憶されている。なお、前記駆動条件は一例に過ぎず、例えば前記可変カセット２２が振動により錠剤を１錠ごとに払い出すものである場合にはその振動の振動周波数又は振幅などが前記駆動条件として定められていることが考えられる。
【００７５】
前記払出経路の高さ及び前記払出経路の幅は、前記事前駆動条件の一例であって、前記可変カセット２２の前記第２回転体２２４により錠剤を１錠ずつ前記払出口２２５から払い出すことが可能な値として予め設定された前記高さｈ１及び前記幅ｗ１（図５参照）の値である。
【００７６】
前記払出速度は、前記駆動中条件の一例であって、前記可変カセット２２から錠剤を払い出す際の前記第２回転体２２４の回転速度として薬品情報ごとに適した回転速度である。例えば、前記錠剤のサイズが小さければ、前記駆動モーター２４２の回転速度が速い場合、前記駆動モーター２４２が停止するまでの間に前記錠剤が余分に払い出されやすい。一方、前記錠剤のサイズが大きければ、前記駆動モーター２４２の回転速度が速くても、前記駆動モーター２４２が停止するまでの間に前記錠剤が余分に払い出されない。そのため、例えば前記駆動条件として設定されている錠剤の払出速度、即ち前記第２回転体２２４による錠剤の搬送速度が前記錠剤のサイズによって異なることが考えられる。具体的には、前記錠剤のサイズが大きい場合の前記払出速度は前記錠剤のサイズが小さい場合の前記払出速度に比べて速い値に設定されていることが考えられる。なお、前記払出速度は、図１０に示す［錠／ｍｉｎ］の形式に限らず、前記第２回転体２２４の回転速度、又は前記駆動モーター２４２の回転速度などの形式で記憶されていてもよい。さらに、前記第２回転体２２４の回転速度だけでなく、前記第１回転体２２３の回転速度も前記駆動条件として設定されることも考えられる。
【００７７】
前記第１スローダウン及び前記第２スローダウンは、前記駆動停止時条件の一例であって、前記可変カセット２２からの錠剤の払い出しを停止する際に前記第２回転体２２４の回転速度を徐々に減速するスローダウンの実行タイミングに関する情報である。前記第１スローダウンは、前記第２回転体２２４の回転速度を予め定められた第１回転速度まで減速するタイミングを規定する。また、前記第２スローダウンは、前記第２回転体２２４の回転速度を前記第１回転速度から更に遅い第２回転速度まで減速するタイミングを規定する。例えば、前記可変カセット２２に収容されている錠剤の形状が丸みを帯びており転がりやすい場合には、前記第２回転体２２４の駆動を停止させた後に錠剤が転がって払い出されるおそれがある。そのため、例えば球形などの転がりやすい形状の錠剤については前記第１スローダウン及び前記第２スローダウン各々の開始タイミングが早めに設定される。本実施形態において、前記第１スローダウン及び前記第２スローダウンの開始タイミングは、前記可変カセット２２から払い出される錠剤数の残りの錠数によって設定される。これにより、前記可変カセット２２からの錠剤の払い出しの停止時に錠剤が余分に払い出されることが防止される。他方、前記第２回転体２２４の駆動が停止された場合に転がりにくい形状の錠剤についてはは前記第１スローダウン及び前記第２スローダウンの開始タイミングが遅く設定されるため、不要な前記スローダウンによる払い出し時間の遅延が抑制される。
【００７８】
なお、本実施の形態では、前記駆動停止時条件として、前記第１スローダウン及び前記第２スローダウンの開始タイミングが設定される場合について説明するが、前記第２回転体２２４の回転速度の減速度が前記駆動停止時条件として設定されることも考えられる。例えば、球形などの転がりやすい形状の錠剤については前記第２回転体２２４を急に停止させると、その後に転がって余分に払い出されるおそれがある。そのため、例えば転がりやすい形状の錠剤については、前記減速度を小さく設定することが考えられる。
【００７９】
また、前記逆回転動作の項目は、前記駆動停止時条件の一例であって、前記可変カセット２２からの錠剤の払い出しを停止する際に前記第２回転体２２４による錠剤の搬送方向を逆方向に切り替える逆回転動作の実行の有無に関する情報である。例えば、前記第２回転体２２４の駆動を停止させるだけでは、前記第２回転体２２４上に残存した錠剤が転がって余分に払い出されるおそれがある球形などの転がりやすい形状の錠剤については前記逆回転動作が「有」に設定される。これにより、前記可変カセット２２からの錠剤の払い出しの停止時に錠剤が余分に払い出されることが防止される。なお、前記第２回転体２２４の駆動が停止された場合に転がりにくい形状の錠剤については前記逆回転動作が「無」に設定され、不要な前記逆回転動作は実行されない。
【００８０】
なお、図１０に示す前記駆動対応情報１２２のデータ構造は単なる一例に過ぎず、前記駆動対応情報１２２で定められた前記駆動条件は、例えば前記医薬品マスターの一つの項目として前記記憶部１２に記憶されたものであってもよい。
【００８１】
また、本実施の形態では、前記駆動対応情報１２２において、前記薬品情報ごとに対応する駆動条件（図１０参照）として、払出経路の高さ、払出経路の幅、払出速度、第１スローダウン、第２スローダウン、及び逆回転動作の各項目が含まれている場合を例に挙げて説明する。一方、前記薬品払出装置１００が、払出経路の高さ、払出経路の幅、払出速度、第１スローダウン、第２スローダウン、及び逆回転動作の項目のいずれか一つ又は複数を前記駆動条件として用いることも他の実施形態として考えられる。即ち、前記薬品払出装置１００では、前記薬品情報ごとに対応する前記駆動条件として前記事前駆動条件、前記駆動中条件、及び前記駆動停止時条件のいずれか一つ又は複数が予め設定されていることが考えられる。また、前記薬品情報ごとに対応する前記駆動条件として前記事前駆動条件、前記駆動中条件、及び前記駆動停止時条件などの複数の条件が予め設定されており、前記薬品払出装置１００において、使用する前記駆動条件として、前記事前駆動条件、前記駆動中条件、及び前記駆動停止時条件などの条件いずれか一つ又は複数を選択可能な構成も考えられる。
【００８２】
前記モニター１３は、前記制御部１１からの制御指示に従って各種の情報及び操作画面を表示する液晶モニター等の表示手段である。例えば、前記モニター１３には、処方データの入力画面、処方データの選択画面、及び可変カセット２２の選択画面などの各種情報が表示される。
【００８３】
前記操作部１４は、ユーザー操作を受け付けるキーボード、マウス及びタッチパネル等の操作手段であり、ユーザー操作に対応する操作信号を前記制御部１１に入力する。前記操作部１４は、例えば前記モニター１３に表示された前記入力画面における処方データの入力操作、前記選択画面における処方データの選択操作、前記選択画面における可変カセット２２の選択操作、及び前記処方データの分包開始を要求する処方データの発行操作などの各種操作入力を受け付けるタッチパネルである。
【００８４】
前記通信ＩＦ１５は、前記薬品払出装置１００をＬＡＮ等の通信網Ｎ３に接続するための通信インターフェースであって、前記通信網Ｎ３を介して接続された処方入力端末２００などの上位システムとの間でデータ通信を実行する。なお、前記処方入力端末２００は、例えば病院及び老健施設などに配置される電子カルテシステム、院内又は院外の薬局に配置される調剤管理システムなどである。また、前記通信ＩＦ１５は、前記バーコードリーダー７等の各種の無線通信機器との間で無線データ通信を行う無線通信カードなどの無線通信インターフェースも備えている。
【００８５】
そして、前記通信ＩＦ１５は、前記処方入力端末２００から処方データを取得し、前記処方データを前記制御部１１に入力する。例えば、前記通信ＩＦ１５は、前記処方入力端末２００に設けられた記憶手段の所定の記憶領域に処方データが記憶されたか否かを監視しており、前記所定の記憶領域に前記処方データが記憶された場合に前記処方データを前記所定の記憶領域から読み出す。もちろん、前記通信ＩＦ１５は、前記処方入力端末２００から送信された前記処方データを受信するものであってもよい。
【００８６】
［薬品払出処理及び分包制御処理］
以下、図１１〜図１３を参照しつつ、前記薬品払出装置１００において、前記処方制御ユニット１の前記制御部１１により実行される薬品払出処理及び前記分包制御ユニット６の前記制御部６１により実行される分包制御処理の手順の一例について説明する。なお、前記制御部１１及び前記制御部６１のいずれか一方により前記薬品払出処理及び前記分包制御処理の処理結果と同様の処理結果が得られる一連の処理が実行されることも考えられる。また、前記制御部１１及び前記制御部６１のいずれか一方により実行される一部の処理が他方によって実行されることも考えられる。
【００８７】
＜ステップＳ１＞
まず、ステップＳ１において、前記制御部１１は、任意の処方データについて、薬品情報を可変カセット２２に割り当てるためのカセット選択開始操作が行われたか否かを判断する。例えば、任意の処方データが選択され、当該処方データに含まれる処方薬品のうち前記可変カセット２２に割り当てる対象となる薬品を選択する操作が行われた場合に、前記カセット選択開始操作が行われたと判断される。ここで、前記カセット選択開始操作が行われたと判断されると（Ｓ１：Ｙｅｓ）、処理がステップＳ２に移行し、前記カセット選択開始操作が行われていないと判断されると（Ｓ１：Ｎｏ）、処理がステップＳ３に移行する。
【００８８】
具体的に、図１４に示されるように、前記モニター１３に処方データの一覧画面Ｄ１が表示された状態で、任意の処方データが選択されて処方展開キーＫ１１が操作されると、図１５に示されるように処方入力画面Ｄ２が前記モニター１３に表示される。そして、図１５に示される処方入力画面Ｄ２において、前記制御部１１は、ユーザー操作に応じて前記可変カセット２２に割り当てる対象となる任意の薬品に対応する薬品情報を選択する。具体的には、前記処方入力画面Ｄ２において、任意の薬品情報に対応して表示されている薬品の供給形態が示された操作キーＫ２１が操作されると、当該操作キーＫ２１に対応する薬品情報の薬品の供給形態として前記手撒きユニット４又は前記可変カセット２２を選択するための操作画面（不図示）が表示される。ここで、前記操作画面において可変カセット２２を使用する旨が選択されると、前記カセット選択開始操作が行われたと判断され、処理がステップＳ２に移行する。また、前記操作画面が省略され、後述のカセット選択画面Ｄ３（図１６参照）において、前記薬品情報の割り当て先として前記手撒きユニット４が選択可能であることも考えられる。
【００８９】
＜ステップＳ２＞
ステップＳ２において、前記制御部１１は、ユーザー操作に応じて薬品情報を割り当てる可変カセット２２を選択するための手動割当処理を実行する。ここで、図１３を参照しつつ、前記手動割当処理の一例について説明する。
【００９０】
＜ステップＳ１１１＞
ステップＳ１１１において、前記制御部１１は、可変カセット２２を選択するためのカセット選択画面Ｄ３を前記モニター１３に表示させる。ここに、図１６は、前記カセット選択画面Ｄ３の一例を示す図である。
【００９１】
図１６に示される前記カセット選択画面Ｄ３では、前記薬品払出装置１００を正面から見たときの前記固定カセット２１及び前記可変カセット２２各々が装着される前記装着部２１１及び前記装着部２２１の配列と同じ配列で、前記装着部２１１に装着された前記固定カセット２１各々に対応する特定領域Ｋ３１と、前記装着部２２１に装着された前記可変カセット２２各々に対応する前記特定領域Ｋ３２とが表示されている。具体的には、前記固定カセット２１に対応する前記特定領域Ｋ３１が縦６×横９の合計５４個表示され、その下方に前記可変カセット２２に対応する前記特定領域Ｋ３２が縦１×横４の合計４個表示されている。なお、前記特定領域Ｋ３２は、前記特定領域Ｋ３１に比べてサイズ大きい。また、前記特定領域Ｋ３１各々には、前記特定領域Ｋ３１各々に対応する前記固定カセット２１に収容される薬品の薬品名などの薬品情報が表示される。なお、前記制御部１１は、前記カセット選択画面Ｄ３に、前記薬品情報に対応する薬品の薬品名など、現在の割当対象の薬品を識別するための情報を表示してもよい。
【００９２】
ところで、図１６の前記カセット選択画面Ｄ３に表示されている前記特定領域Ｋ３１及び前記特定領域Ｋ３２の数は最大表示数である。例えば、前記固定カセット２１又は前記可変カセット２２が装着されていない前記装着部２１１及び前記装着部２２１に対応する前記特定領域Ｋ３１及び前記特定領域Ｋ３２の表示は省略されてもよい。また、前記固定カセット２１又は前記可変カセット２２が装着されていない場合にも前記特定領域Ｋ３１又は前記特定領域Ｋ３２に代えて表示枠などの特定図柄が表示されることも考えられる。即ち、前記装着部２１１及び前記装着部２２１各々の配列と同じ配列で前記特定領域Ｋ３１及び前記特定領域Ｋ３２各々が表示されてもよい。また、前記カセット選択画面Ｄ３では、前記固定カセット２１に対応する前記特定領域Ｋ３１が表示されず、前記可変カセット２２に対応する前記特定領域Ｋ３２のみが表示されてもよい。さらに、前記制御部１１は、前記装着部２２１に装着されていない前記可変カセット２２に前記薬品情報を割り当て可能である場合には、前記カセット選択画面Ｄ３では、予め登録されている前記可変カセット２２の識別情報などが選択対象として一覧表示されることも他の実施形態として考えられる。
【００９３】
また、前記制御部１１は、前記特定領域Ｋ３２各々において、前記特定領域Ｋ３２各々に対する薬品情報の割り当て状況などを示す割当状態を表示させる。具体的に、薬品情報が割り当てられていない前記可変カセット２２に対応する前記特定領域Ｋ３２には「未割当」が表示される。なお、前記特定領域Ｋ３２が空白であることによって薬品情報が割り当てられていない旨が表示されてもよい。さらに、前記特定領域Ｋ３２のうち割当済みの領域は青色、未割当の領域は赤色などのように色によって状態が識別可能に表示されることも考えられる。また、薬品情報が割り当てられている前記可変カセット２２に対応する前記特定領域Ｋ３２には、その割り当てられている薬品情報に対応する薬品名などが表示されることにより、既に薬品情報が割り当てられている旨及びその割り当てられた薬品の種別が表示される。もちろん、割当済みの前記可変カセット２２に対応する前記特定領域Ｋ３２に、「割当済み」と表示されてもよい。
【００９４】
また、前記制御部１１は、前記ステップＳ１で選択された前記薬品情報の割り当て先として推奨される特定の前記可変カセット２２を前記カセット選択画面Ｄ３に表示する推奨表示を実行することが考えられる。例えば、前記医薬品マスターでは、前記可変カセット２２内に有色の粉末が付着する可能性の高い薬品である場合にオンに設定される第１フラグ、帯電しやすい薬品である場合にオンに設定される第２フラグが前記薬品情報各々に対応して設けられる。そして、前記制御部１１は、ユーザー操作に応じて前記第１フラグ及び前記第２フラグなどを任意に設定することが可能である。一方、前記可変カセット２２の中には、有色の粉末が付着する可能性の高い薬品のために用いることがユーザーによって定められた有色専用カセットと、帯電しやすい薬品について当該薬品に接触する箇所が金属などの除電部材で形成された除電機能を有する除電専用カセットとが含まれることがある。
【００９５】
そして、前記制御部１１は、前記可変カセット２２のうち前記薬品情報について予め対応付けられた条件に適合する前記可変カセット２２を推奨カセットとして表示する。具体的に、前記制御部１１は、割り当て対象となる前記薬品情報について前記医薬品マスターで前記第１フラグがオンに設定されている場合には、当該薬品情報の割り当て先として予め定められた前記有色専用カセットを推奨表示する。同様に、前記制御部１１は、割り当て対象となる前記薬品情報について前記医薬品マスターで前記第２フラグがオンに設定されている場合には、当該薬品情報の割り当て先として前記除電専用カセットを推奨表示する。なお、前記推奨表示は、例えばメッセージにより前記有色専用カセット又は前記除電専用カセットに対応する前記可変カセット２２の番号を表示すること、前記有色専用カセット又は前記除電専用カセットが装着された前記装着部２２１に対応する前記特定領域Ｋ３２の表示色を予め設定された特定色に変更すること等が考えられる。また、前記装着部２２１又は前記可変カセット２２にＬＥＤ等の発光部が設けられている場合には、前記制御部１１が、前記有色専用カセット又は前記除電専用カセットに対応する前記発光部を発光させることも考えられる。
【００９６】
なお、前記有色専用カセット又は前記除電専用カセットに対応する前記可変カセット２２の前記ＲＦＩＤタグ２６に、前記有色専用カセット又は前記除電専用カセットなどである旨の情報が記憶されることも考えられる。この場合、前記制御部１１は、前記装着部２２１の前記ＲＦＩＤリーダライタ２４５によって前記有色専用カセット又は前記除電専用カセットなどである旨の情報が読み取られた位置によって、いずれの前記装着部２２１に前記有色専用カセット又は前記除電専用カセットが装着されているかを認識することが可能である。例えば、前記制御部１１は、図１６に示される前記カセット選択画面Ｄ３の操作キーＫ３２の表示領域内に、前記可変カセット２２について前記有色専用カセット又は前記除電専用カセットなどのカセット種別を表示してもよい。また、前記制御部１１は、前記装着部２２１の前記ＲＦＩＤリーダライタ２４５によって前記可変カセット２２の前記ＲＦＩＤタグ２６から読み取られる情報に基づいて、当該装着部２２１について前記有色専用カセット又は前記除電専用カセットなどのカセット種別を認識することが可能である。そのため、前記制御部１１が、前記有色専用カセット又は前記除電専用カセットが装着された前記装着部２２１を特定するのではなく、前記装着部２２１の前記ＲＦＩＤリーダライタ２４５によって当該可変カセット２２の前記ＲＦＩＤタグ２６から読み取られる情報に基づいて、前記薬品情報について予め対応付けられた条件に適合する前記有色専用カセット又は前記除電専用カセットに対応する前記可変カセット２２を特定し、当該可変カセット２２の番号などの識別情報を当該薬品情報の割り当て先として推奨表示してもよい。また、前記記憶部１２に、前記可変カセット２２各々の識別情報と前記有色専用カセット又は前記除電専用カセットなどのカセット種別とを対応付けるカセット種別情報が記憶されており、前記制御部１１が、前記カセット種別情報に基づいて前記可変カセット２２各々のカセット種別を判断し、使用が推奨される前記可変カセット２２を特定可能な構成であってもよい。
【００９７】
また、前記可変カセット２２各々の前記ＲＦＩＤタグ２６に前記有色専用カセット又は前記除電専用カセットであるか否かなどを直接示す情報に代えて、前記有色専用カセット又は前記除電専用カセットであるか否かを判断可能な推奨情報が記憶されていることも考えられる。この場合も、前記制御部１１は、前記ＲＦＩＤリーダライタ２４５によって読み取られる前記ＲＦＩＤタグ２６の前記推奨情報に基づいて、前記薬品情報の割り当てに推奨する前記可変カセット２２各々を判断することが可能である。例えば前記推奨情報に、前記有色専用カセットと判断するための情報として、過去に割り当てられた薬品情報の履歴情報が含まれており、前記制御部１１が、前記履歴情報に基づいて有色の薬品に対応する薬品情報が割り当てられている回数、頻度、割合などに応じて前記有色専用カセットであるか否かを判断することが考えられる。同様に、前記推奨情報に、前記除電専用カセットと判断するための情報として、過去に割り当てられた薬品情報の履歴情報が含まれており、前記制御部１１が、前記履歴情報に基づいて除電することが推奨される薬品に対応する薬品情報が割り当てられている回数、頻度、割合などに応じて前記除電専用カセットであるか否かを判断することが考えられる。
【００９８】
また、前記制御部１１は、前記ステップＳ１で選択された前記薬品情報が前記可変カセット２２を使用することができない前記薬品情報である場合に、前記可変カセット２２を使用することができない旨を前記カセット選択画面Ｄ３に表示する禁止表示を実行することが考えられる。具体的に、前記医薬品マスターでは、前記可変カセット２２への割り当てを実行しない薬品である場合にオンに設定される第３フラグが前記薬品情報各々に対応して登録されることが考えられる。なお、前記制御部１１は、ユーザー操作に応じて前記第３フラグを任意に設定することが可能である。例えば、薬品の形状が前記可変カセット２２で払い出し可能でない形状又はサイズである場合に、当該薬品の薬品情報に対応する前記第３フラグがオンに設定される。そして、前記制御部１１が、前記ステップＳ１で選択された前記薬品情報について前記第３フラグがオンである場合には、前記ステップＳ１で選択された前記薬品情報について前記可変カセット２２を使用することができない旨を表示させると共に、前記カセット選択画面Ｄ３に前記手撒きユニット４を使用すべき旨を表示させることが考えられる。なお、有色の粉末が付着する可能性の高い薬品、又は帯電しやすい薬品の薬品情報について前記第３フラグがオンに設定されていてもよい。
【００９９】
なお、前記制御部１１は、前記推奨表示及び前記禁止表示を前記カセット選択画面Ｄ３に限らず、例えば前記処方入力画面Ｄ２が表示される際に実行してもよい。例えば、前記処方入力画面Ｄ２において、各薬品情報に対応付けて、推奨される前記可変カセット２２の番号、又は前記可変カセット２２の使用が禁止されている旨などが表示される。また、前記制御部１１は、前記薬品情報のうち当該薬品情報に対応する前記固定カセット２１が存在しない場合に、前記推奨表示又は前記禁止表示を実行し、前記固定カセット２１が存在する場合には、前記推奨表示又は前記禁止表示を実行しないことが考えられる。
【０１００】
また、前記制御部１１は、前記推奨表示及び前記禁止表示に代えて、前記薬品情報を前記可変カセット２２に割り当てる際に考慮すべき参考情報をモニター１３に表示される前記処方入力画面Ｄ２又は前記カセット選択画面Ｄ３等に表示させることが考えられる。例えば、前記制御部１１は、前記第１フラグがオンに設定されている前記薬品情報については、「有色薬品のため色移りしやすい薬品です」のようなメッセージが表示され、前記第２フラグがオンに設定されている前記薬品情報については、「帯電しやすい薬品です」のようなメッセージが表示される。また、前記制御部１１は、前記第３フラグがオンに設定されている前記薬品情報については、「可変カセットの使用が禁止されている薬品です」のようなメッセージが表示される。
【０１０１】
＜ステップＳ１１２＞
ステップＳ１１２において、前記制御部１１は、前記カセット選択画面Ｄ３における前記特定領域Ｋ３２の選択操作を受け付ける。なお、係る受付処理は前記受付処理部１１２によって実行される。具体的に、前記操作部１４が前記モニター１３に設けられたタッチパネルである場合、前記制御部１１は、前記モニター１３における前記特定領域Ｋ３２のタッチ操作を前記特定領域Ｋ３２の選択操作として受け付ける。また、前記操作部１４がマウスである場合、前記制御部１１は、前記モニター１３における前記特定領域Ｋ３２へのマウスのポインターの移動及びクリック操作を前記特定領域Ｋ３２の選択操作として受け付ける。なお、前記カセット選択画面Ｄ３では、現時点で薬品情報が未割当の前記可変カセット２２だけではなく、前記薬品情報が既に割り当てられている前記可変カセット２２を選択することも可能である。一方、前記薬品情報が未割当の前記可変カセット２２のみが選択可能であることも他の実施形態として考えられる。
【０１０２】
＜ステップＳ１１３＞
ステップＳ１１３において、前記制御部１１は、前記ステップＳ１１２で選択された前記特定領域Ｋ３２に対応する前記可変カセット２２に既に前記薬品情報が割り当てられているか否かを判断する。なお、当該ステップＳ１１３以降の処理は前記制御部１１の割当処理部１１３によって実行される。ここで、選択された前記可変カセット２２に未だ前記薬品情報が割り当てられていないと判断されると（Ｓ１１３：Ｎｏ）、処理がステップＳ１１４に移行し、選択された前記可変カセット２２に既に前記薬品情報が割り当てられていると判断されると（Ｓ１１３：Ｙｅｓ）、処理がステップＳ１１７に移行する。
【０１０３】
＜ステップＳ１１４＞
ステップＳ１１４において、前記制御部１１は、前記ステップＳ１１２で選択されたと判断された記特定領域Ｋ３２に対応する前記可変カセット２２に前記薬品情報を割り当てる。具体的に、前記制御部１１は、前記割当情報１２１の内容を更新し、前記薬品情報と前記可変カセット２２とを対応付ける。
【０１０４】
＜ステップＳ１１５＞
ステップＳ１１５において、前記制御部１１は、前記払出対象の薬品情報に対応する駆動条件を前記駆動対応情報１２２（図１０参照）に基づいて特定し、前記駆動条件と前記薬品情報が割り当てられた前記可変カセット２２のカセット識別情報とを前記制御部６１に送信する。これにより、前記制御部６１は、前記駆動条件における前記事前駆動条件に従って前記可変カセット２２を駆動させることになる。このように、前記ステップＳ１１５の処理を実行することにより前記可変カセット２２を前記駆動条件に従って駆動させるときの前記制御部１１を駆動処理部として捉えてもよい。
【０１０５】
＜ステップＳ１１６＞
次に、ステップＳ１１６において、前記制御部１１は、前記ステップＳ１１４で薬品情報が割り当てられた前記可変カセット２２の前記表示部２５に、当該可変カセット２２に割り当てられた薬品情報を表示させ、当該手動割当処理を終了する。即ち、前記制御部１１は、前記可変カセット２２各々において当該可変カセット２２各々への薬品情報の割当状態を表示する。
【０１０６】
例えば、前記制御部１１は、前記処方データから予め設定された表示項目の情報を抽出して前記表示部２５に表示させる。具体的に、前記表示部２５には、前記可変カセット２２に割り当てられた錠剤の薬品名称（薬ＩＤ）、払出量、及びＪＡＮコード（バーコード）が表示される。なお、患者氏名、割当日時、又は割当担当者などの各種の情報が前記表示部２５に表示されてもよい。
【０１０７】
ところで、当該手動割当処理において、前記制御部１１は、複数の前記固定カセット２１のいずれかに対応する薬品と同じ薬品の薬品情報を、ユーザー操作に応じて任意の前記可変カセット２２に割り当てることも可能である。この場合、前記制御部１１は、前記薬品情報に対応する薬品の払い出しには前記固定カセット２１を使用せずに前記可変カセット２２を使用するように設定する。また、前記制御部１１は、前記前記可変カセット２２に割り当てられた前記薬品情報に対応する前記固定カセット２１が存在する場合に、前記可変カセット２２内の薬品が不足する欠品状態になった場合であっても、前記固定カセット２１からの払い出しを実行することなく、エラー報知を実行することが考えられる。
【０１０８】
＜ステップＳ１１７＞
一方、前記可変カセット２２に既に前記薬品情報が割り当てられていると判断された場合（Ｓ１１３：Ｙｅｓ）、続くステップＳ１１７において、前記制御部１１は、前記可変カセット２２への前記薬品情報の割り当てを実行せずにエラー報知処理を実行する。例えば、前記制御部１１は、「選択されたカセットには既に薬品情報が割り当てられています」のように、選択された前記可変カセット２２が既に割り当て済みである旨を示すメッセージを前記モニター１３に表示させる。さらに、「カセット○○は使用可能です」のように、割り当て可能な前記可変カセット２２を報知するメッセージが表示されてもよい。このように、前記制御部１１は、前記可変カセット２２に既に前記薬品情報が割り当てられている状態では、当該可変カセット２２への前記薬品情報の割り当てを禁止し、他の前記薬品情報を割り当てない。これにより、前記可変カセット２２と前記薬品情報との対応関係が誤って更新されることが防止される。
【０１０９】
なお、前記可変カセット２２への前記薬品情報の割り当ては、予め設定された割当解除条件を満たした場合に解除され、当該可変カセット２２が未割当の状態となる。前記割当解除条件は、例えば、前記可変カセット２２を用いた前記処方データに基づく分包動作が完了すること、当該分包動作が完了した後に前記可変カセット２２の前記装着部２２１への脱着が検出されること、又はユーザー操作によって前記可変カセット２２への前記薬品情報の割り当てを強制的に解除するための操作が行われること等が考えられる。なお、前記装着部２２１に対する前記可変カセット２２の着脱状態は、例えば前記装着部２２１に設けられた不図示の光学式センサー又は機械式センサーなどによって検出され、前記制御部１１に入力される。
【０１１０】
＜ステップＳ３＞
図１１の説明に戻り、ステップＳ３において、前記制御部１１は、処方データの発行要求があったか否かを判断する。具体的に、前記制御部１１は、予め登録された処方データを発行するための発行操作が前記操作部１４に対して行われた場合に前記処方データの発行要求が行われたと判断する。前記処方データは、前記処方入力端末２００等の上位システムから取得され、又は前記薬品払出装置１００で入力される。
【０１１１】
ここで、前記制御部１１は、前記処方データの発行要求がない場合（Ｓ３のＮｏ側）、処理を前記ステップＳ３１に移行させる。一方、前記制御部１１は、前記処方データの発行要求があったと判断すると（Ｓ３のＹｅｓ側）、処理をステップＳ４に移行させる。なお、前記制御部１１が、前記処方入力端末２００等の上位システムから前記処方データを受信した場合に、前記発行操作を要することなく前記処方データの発行要求があったと判断して処理をステップＳ４に移行させることも他の実施形態として考えられる。
【０１１２】
＜ステップＳ３１＞
一方、前記処方データの発行要求がなされていない場合、続くステップＳ３１において、前記制御部１１は、前記操作部１４を用いる処方データの手動入力を開始するための要求操作が行われたか否かを判断する。例えば、前記制御部１１は、前記モニター１３の表示画面に表示されている処方入力開始キーが操作された場合に前記要求操作が行われたと判断する。ここで、前記要求操作が行われたと判断されると（Ｓ３１：Ｙｅｓ）、処理がステップＳ３２に移行し、前記要求操作が行われていないと判断されると（Ｓ３１：Ｎｏ）、処理が前記ステップＳ１に戻される。
【０１１３】
＜ステップＳ３２＞
ステップＳ３２において、前記制御部１１は、前記モニター１３に前記処方データを入力するための入力画面を表示させ、前記操作部１４に対するユーザー操作に応じて前記処方データの入力を受け付ける。なお、係る受付処理は、前記制御部１１の受付処理部１１２によって実行される。
【０１１４】
ここで入力される前記処方データの内容は、払出対象である一種類の薬品情報、及びその薬品情報の用量及び用法などを含む。前記ステップＳ３２〜Ｓ３５では前記薬品情報ごとに個別に処理が実行される。なお、前記薬品情報は、錠剤の収容容器又はＰＴＰシートから前記バーコードリーダー７によって読み取られてもよい。そして、前記処方データが入力されると、処理がステップＳ３３に移行する。
【０１１５】
＜ステップＳ３３＞
ステップＳ３３において、前記制御部１１は、前記ステップＳ１１２と同様のカセット選択処理を実行する（図１４参照）。
【０１１６】
＜ステップＳ３４＞
ステップＳ３４において、前記制御部１１は、前記処方データの手動入力を終了するための終了要求操作が行われたか否かを判断する。例えば、前記制御部１１は、前記モニター１３の表示画面に表示されている処方入力終了キーが操作された場合に前記要求操作が行われたと判断する。ここで、前記終了要求操作が行われたと判断されると（Ｓ３４：Ｙｅｓ）、処理がステップＳ１に移行する。一方、前記終了要求操作が行われず、例えば前記モニター１３の表示画面に表示されている処方入力継続キーが操作された場合は（Ｓ３４：Ｎｏ）、処理が前記ステップＳ３２に戻されて同様の処理が繰り返し実行される。これにより、複数の前記薬品情報について前記処方データを入力すること及び前記可変カセット２２を割り当てることが可能である。
【０１１７】
また、本実施形態では、前記ステップＳ３２〜Ｓ３４の処理が前記薬品情報の数に応じて繰り返し実行される場合を例に挙げて説明したが、前記ステップＳ３２において複数の前記薬品情報について入力されることも他の実施形態として考えられる。この場合、前記カセット選択画面Ｄ３において、前記薬品情報ごとに対応する前記固定カセット２１又は前記可変カセット２２が選択されることになる。具体的に、前記制御部１１は、前記カセット選択画面Ｄ３と共に、複数の前記薬品情報のリストを表示させ、割り当て対象の前記薬品情報の選択と、割り当てる前記固定カセット２１又は前記可変カセット２２の選択とを交互に受け付けることが考えられる。特に、前記制御部１１は、複数の前記薬品情報のリストにおいて、前記薬品情報に対応する薬品を払い出し可能な前記固定カセット２１が存在する薬品情報と、前記固定カセット２１が存在せず前記可変カセット２２を割り当てる必要がある薬品情報とを区別可能な態様で表示することが考えられる。例えば、前記薬品情報のリストにおいて、前記可変カセット２２の割り当ての要否に応じて前記薬品情報の表示色又は背景色が変更されることが考えられる。なお、複数の前記薬品情報について、割り当て対象の前記薬品情報が前記カセット選択画面Ｄ３に順に表示され、ユーザーによって前記薬品情報を割り当てる前記固定カセット２１又は前記可変カセット２２が選択されてもよい。
【０１１８】
＜ステップＳ４＞
次に、ステップＳ４において、前記制御部１１は、前記処方データにより払出対象の錠剤を示す薬品情報として入力された全ての薬品情報に対応する前記固定カセット２１又は前記可変カセット２２が存在するか否かを判断する。具体的に、前記制御部１１は、前記記憶部１２に記憶されている前記カセットマスター及び前記割当情報１２１に基づいて、対応する前記固定カセット２１が存在せず、且つ、前記可変カセット２２に割り当てられていない薬品が処方薬として前記処方データに含まれているか否かを判断する。なお、前記カセットマスターは、前記装着部２１１各々に設けられた前記ＲＦＩＤリーダライタ２３２などの読取装置によって、前記固定カセット２１各々に設けられたＲＦＩＤタグ（不図示）から読み取られる薬品情報に基づいて前記制御部１１によって更新される。また、前記制御部１１は、前記カセットマスターを編集するための編集画面を前記モニター１３に表示させ、前記編集画面における前記操作部１４のユーザー操作に応じて前記カセットマスターを更新することも可能である。
【０１１９】
ここで、前記払出対象の薬品情報に対応する前記固定カセット２１及び前記可変カセット２２が存在しないと判断された場合（Ｓ４のＮｏ側）、即ち前記処方データに含まれた処方薬に前記固定カセット２１に収容されておらず前記可変カセット２２にも割り当てられていない種類の錠剤が含まれている場合、前記制御部１１は処理をステップＳ４１に移行させる。
【０１２０】
一方、全ての前記払出対象の薬品情報に対応する前記固定カセット２１又は前記可変カセット２２が存在すると判断した場合（Ｓ４のＹｅｓ側）、前記制御部１１は処理をステップＳ５に移行させる。
【０１２１】
ところで、前記薬品払出装置１００において、前記制御部１１が、当該薬品払出装置１００の初期設定として、前記可変カセット２２を使用するか否かをユーザー操作に応じて設定可能であることが考えられる。また、前記制御部１１は、前記処方データの発行の際に、当該処方データについて前記可変カセット２２を使用するか否かをユーザー操作に応じて設定可能であることも考えられる。そして、前記制御部１１は、前記可変カセット２２を使用する旨の設定がなされている場合、前記制御部１１は、前記可変カセット２２への薬品情報の自動割当処理（Ｓ４１）又は手動割当処理（Ｓ２又はＳ３３）を実行可能である。一方、前記可変カセット２２を使用しない旨の設定がなされている場合、前記制御部１１は、前記可変カセット２２への薬品情報の自動割当処理（Ｓ４１）及び手動割当処理（Ｓ２又はＳ３３）を禁止し、前記固定カセット２１で払出可能ではない薬品についてはその払い出し元を前記手撒きユニット４に割り当てることが考えられる。即ち、前記固定カセット２１で払出可能ではなく、前記可変カセット２２の使用も禁止されている場合には、自動的に前記手撒きユニット４が選択される。
【０１２２】
＜ステップＳ４１＞
ステップＳ４１において、前記制御部１１は、前記処方データにより入力された払出対象の薬品情報のうち対応する前記固定カセット２１が存在しない薬品情報を未割当の前記可変カセット２２に割り当てる。なお、前記制御部１１は、対応する前記固定カセット２１が存在しない薬品情報が前記処方データに複数含まれている場合には、その薬品情報各々について前記可変カセット２２の割り当てを実行する。
【０１２３】
具体的に、前記制御部１１は、前記可変カセット２２各々のうち現在通信可能（制御可能）な前記可変カセット２２を特定する処理を実行する。例えば、前記制御部１１は、前記可変カセット２２のうち前記ＲＦＩＤリーダライタ２４５による前記ＲＦＩＤタグ２６からの情報の読み出しに成功した前記可変カセット２２を通信可能な状態であると判断する。なお、前記可変カセット２２のうち現在通信可能でない前記可変カセット２２が割り当て対象として選択されることも他の実施形態として考えられる。
【０１２４】
そして、前記制御部１１は、現在通信可能である前記可変カセット２２各々に対する現在の薬品情報の割り当ての有無を、前記割当情報１２１（図９参照）に基づいて判断し、前記払出対象の薬品情報を未割当の前記可変カセット２２に割り当てる。このとき、前記制御部１１は、前記薬品情報を割り当てる前記可変カセット２２を決定すると、その割当結果に応じて前記割当情報１２１の内容を更新する。このように前記薬品情報に割り当てられた前記可変カセット２２は、前記制御部１１との間で通信可能であり、前記制御部１１による前記電子ペーパー２５への情報の書き込みが可能である。なお、前記制御部１１が、前記可変カセット２２各々の通信の可否を判断することなく前記可変カセット２２各々を割当対象の候補としてもよい。
【０１２５】
ここで、前記薬品情報を割り当てる前記可変カセット２２の候補が複数存在することが考えられる。この場合、前記制御部１１は、例えば前記可変カセット２２各々のうち予め設定された優先順位に基づいて前記薬品情報の割り当ての有無を判断し、最初に未割当であると判断された前記可変カセット２２に前記薬品情報を割り当てることが考えられる。また、前記制御部１１は、前記可変カセット２２各々の使用回数が均等になるように、前記可変カセット２２の使用回数が低いものから順に前記薬品情報の割り当ての有無を判断し、最初に未割当であると判断された前記可変カセット２２に前記薬品情報を割り当てることも考えられる。さらに、前記制御部１１は、前記可変カセット２２各々のうち直前に割り当てられていた薬品情報が、今回の割当対象の薬品情報と同じ又は錠剤サイズが近い薬品情報である前記可変カセット２２を選択することも考えられる。なお、未割当の前記可変カセット２２が存在しない場合、前記制御部１１は、その旨を前記モニター１３に表示させることによりユーザーに報知する。
【０１２６】
また、前記ステップＳ４１において、前記制御部１１は、前記ＲＦＩＤリーダライタ２４５を制御することにより、前記薬品情報が割り当てられた前記可変カセット２２各々の前記ＲＦＩＤタグ２６に前記可変カセット２２に割り当てられた前記薬品情報を記録する。このとき、前記制御部１１は、前記薬品情報と共に、前記薬品情報が示す錠剤の払出量、患者名、割当日時、担当薬剤師名、及び処方箋の識別情報などの各種の情報を前記処方データに基づいて記録することも考えられる。
【０１２７】
一方、前記可変カセット２２の前記ＲＦＩＤタグ２６に前記薬品情報が記録されないことも他の実施形態として考えられる。具体的に、前記ＲＦＩＤタグ２６に前記カセット識別情報が予め記録されており、前記ＲＦＩＤリーダライタ２４５が情報の読み取りのみが可能なＲＦＩＤリーダーであることが考えられる。この場合でも、前記制御部１１は、前記ＲＦＩＤタグ２６から読み取った前記カセット識別情報と前記割当情報（図９参照）とに基づいて、前記可変カセット２２に割り当てられた前記薬品情報を認識することが可能である。
【０１２８】
＜ステップＳ４２＞
ステップＳ４２において、前記制御部１１は、前記ステップＳ１１５と同様に、前記払出対象の薬品情報に対応する駆動条件を前記駆動対応情報１２２（図１０参照）に基づいて特定し、前記駆動条件と前記薬品情報が割り当てられた前記可変カセット２２のカセット識別情報とを前記制御部６１に送信する。
【０１２９】
ところで、前記薬品払出装置１００では、前記装着部２２１各々に、前記可変カセット２２各々の取り外しをロック可能なカセットロック部が設けられることが考えられる。例えば、前記カセットロック部は、例えばソレノイド又はモーターなどの駆動部と前記駆動部によって駆動して前記可変カセット２２の取り外しを制限する規制部とを含む。ここで、前記装着部２２１に前記カセットロック部が設けられる場合の前記可変カセット２２の着脱制御の一例について説明する。前記制御部６１は、前記制御部１１からの制御指示に基づいて、前記装着部２２１各々の前記カセットロック部の前記駆動部を制御することにより、前記可変カセット２２各々のロックの有無を個別に制御可能である。具体的に、前記制御部１１は、前記ステップＳ１１４又は前記ステップＳ４１で前記可変カセット２２に薬品情報が割り当てられた場合に、当該可変カセット２２のロック指示を前記制御部６１に送信する。これにより、前記制御部６１は、前記薬品情報が割り当てられた前記可変カセット２２が装着されている前記装着部２２１の前記カセットロック部を駆動して当該可変カセット２２の取り外しを制限する。なお、前記ステップＳ４２における前記駆動条件の送信が前記ロック指示を兼ねてもよい。その後、前記制御部１１は、薬品補充対象の前記可変カセット２２を特定するための特定操作が行われた場合に、当該可変カセット２２のロック解除指示を前記制御部６１に送信する。これにより、前記制御部６１は、入力された前記薬品情報が割り当てられた前記可変カセット２２が装着されている前記装着部２２１の前記カセットロック部を駆動して当該可変カセット２２の取り外しの制限を解除する。即ち、薬品補充対象の前記可変カセット２２が選択された場合に当該可変カセット２２の取り外しが可能となり、当該可変カセット２２への薬品の補充が可能となる。このような構成によれば、前記薬品情報が割り当てられた前記可変カセット２２への誤った薬品の補充が抑制されると共に、前記薬品情報が割り当てられていない前記可変カセット２２については自由に着脱することが可能となる。なお、前記特定操作は、前記可変カセット２２に割り当てられた薬品情報と同じ薬品を示す薬品情報が前記バーコードリーダー７で読み取られること、又は前記薬品情報が前記操作部１４を用いて入力されること等である。また、前記装着部２２１各々に対応して操作ボタンなどの所定の操作部が設けられており、当該所定の操作部に対して長押し操作などの操作が行われた場合に、前記制御部６１が、当該装着部２２１における前記可変カセット２２のロックを解除してもよい。
【０１３０】
＜ステップＳ４３＞
ステップＳ４３において、前記制御部１１は、前記ステップＳ１１６と同様に、前記ステップＳ４１で薬品情報が割り当てられた前記可変カセット２２の前記表示部２５に、前記可変カセット２２に割り当てられた薬品情報を表示させる。即ち、前記制御部１１は、前記可変カセット２２各々において当該可変カセット２２各々への薬品情報の割当状態を表示する。
【０１３１】
＜ステップＳ２１＞
一方、図１２に示されるように、前記分包制御ユニット６では、前記制御部６１が、ステップＳ２１において、前記制御部１１からの前記駆動条件の受信の有無を判断する。ここで、前記制御部６１は、前記駆動条件が受信された場合には（Ｓ２１のＹｅｓ側）、処理をステップＳ２２に移行させ、前記駆動条件が受信されていない間は（Ｓ２１のＮｏ側）、処理をステップＳ２３に移行させる。なお、前記制御部６１は、前記制御部１１から受信した前記駆動条件を、前記薬品情報が割り当てられた前記可変カセット２２のカセット識別情報と対応付けて前記記憶部６２に記憶する。
【０１３２】
＜ステップＳ２２＞
ステップＳ２２において、前記制御部６１は、前記薬品情報が割り当てられた前記可変カセット２２を前記駆動条件に従って駆動させ、前記可変カセット２２から前記薬品情報に対応する薬品を払い出し可能な状態にする。具体的に、前記駆動条件と共に受信した前記カセット識別情報に対応する前記可変カセット２２を、前記駆動条件のうち前記事前駆動条件に従って駆動させ、前記払出経路の高さ及び前記払出経路の幅を変更する。このように、前記薬品払出装置１００では、前記駆動条件に前記事前駆動条件が含まれている場合、前記制御部６１が、前記事前駆動条件（払出経路の高さ及び幅）に従って前記可変カセット２２を駆動させ、その後に、前記可変カセット２２からの錠剤の払い出しを実行することになる（Ｓ２４）。
【０１３３】
具体的に、前記制御部６１は、前記駆動条件に従って前記高さ調整部２２６Ａ及び前記幅調整部２２７Ａを制御することにより、前記可変カセット２２から１錠単位で払出可能な錠剤の種類を前記ステップＳ１１４又はＳ４１で割り当てられた前記薬品情報が示す錠剤に変更する。まず、前記制御部６１は、前記駆動モーター２４３及び前記駆動モーター２４４を駆動させることにより前記高さ規制部材２２６及び前記幅規制部材２２７の位置を初期状態に戻す。そして、前記制御部６１は、前記駆動モーター２４３により前記高さ調整部２２６Ａを駆動させ、前記可変カセット２２の前記高さ規制部材２２６により規制される前記高さｈ１を、前記駆動条件で定められた前記払出経路の高さに変更する。また、前記制御部６１は、前記駆動モーター２４４により前記幅調整部２２７Ａを駆動させ、前記可変カセット２２の前記幅規制部材２２７により規制される前記幅ｗ１を、前記駆動条件で定められた前記払出経路の幅に変更する。もちろん、前記高さ規制部材２２６及び前記幅規制部材２２７の現在の状態が検出可能な構成であれば、前記制御部６１は、その検出結果に基づいて前記駆動モーター２４３及び前記駆動モーター２４４を駆動すればよい。
【０１３４】
このように前記駆動条件に従って前記払出経路の高さｈ１及び幅ｗ１が変更されると、前記可変カセット２２では、前記ステップＳ１１４又はＳ４１で割り当てられた前記薬品情報が示す錠剤を１錠単位で払い出すことが可能となり、前記錠剤の払出量が制御可能となる。ここに、前記ステップＳ２２の処理（駆動制御ステップ）を実行するときの前記制御部６１が駆動処理部の一例である。
【０１３５】
なお、前記薬品情報が前記可変カセット２２に割り当てられる際に、前記可変カセット２２が前記装着部２２１に装着されていない状態も考えられる。この場合、前記ステップＳ２２では、前記事前駆動条件に従って前記可変カセット２２を駆動させることができない。そこで、前記制御部６１は、前記制御部１１から受信した前記駆動条件の前記可変カセット２２への反映の有無を示すフラグ情報を前記記憶部６２に記憶させて随時更新する。そして、前記制御部６１は、後述のステップＳ２４における分包動作の開始時に前記フラグ情報を参照し、その分包動作で使用する前記可変カセット２２について前記駆動条件の反映が行われていない場合には、その分包動作を実行する前に前記事前駆動条件に従って前記可変カセット２２を駆動させ、前記払出経路の高さｈ１及び幅ｗ１を変更する。
【０１３６】
また、前記駆動条件に前記事前駆動条件が含まれておらず、前記可変カセット２２の前記高さ調整部２２６Ａ及び前記幅調整部２２７Ａを手動で作動させて前記払出経路の高さｈ１及び幅ｗ１を任意に調整することが可能な構成も他の実施形態として考えられる。この場合、ユーザーは、前記可変カセット２２の前記払出経路の高さｈ１及び幅ｗ１を調整した後、前記可変カセット２２を前記錠剤供給ユニット２の前記装着部２２１に装着する。なお、前記高さ調整部２２６Ａ及び前記幅調整部２２７Ａは、例えばドライバー等の工具を用いた回転操作により作動可能な構成であることが考えられる。
【０１３７】
＜ステップＳ５＞
また、図１１に示されるように、ステップＳ５において、前記制御部１１は、前記処方データに基づく分包動作において前記可変カセット２２が使用されるか否かを判断する。具体的に、前記制御部１１は、前記ステップＳ２又はＳ３３において前記可変カセット２２への前記薬品情報の割り当てが行われた場合に前記可変カセット２２が使用されると判断する。ここで、前記可変カセット２２が使用されると判断されると（Ｓ５：Ｙｅｓ）、処理がステップＳ６に移行し、前記可変カセット２２が使用されないと判断されると（Ｓ５：Ｎｏ）、処理がステップＳ７に移行する。
【０１３８】
＜ステップＳ６＞
その後、ステップＳ６において、前記制御部１１は、前記可変カセット２２に対する錠剤の充填が完了した旨を示す充填完了操作が前記操作部１４に対して行われたか否かを判断する。具体的に、ユーザーは、前記ステップＳ１１４又はＳ４１で前記薬品情報が前記可変カセット２２に割り当てられ、前記可変カセット２２の前記表示部２５に前記薬品情報が表示されると、前記可変カセット２２を前記錠剤供給ユニット２から取り外す。そして、ユーザーは、前記可変カセット２２に、前記処方データに対応する処方箋、又は前記表示部２５に表示された前記薬品情報を参照しながら必要な錠数の錠剤を前記可変カセット２２に投入する。その後、ユーザーは、前記可変カセット２２を前記錠剤供給ユニット２に装着し、前記操作部１４に対して前記充填完了操作を行う。例えば、前記充填完了操作は、前記薬品払出装置１００に設けられた充填完了操作ボタンを押下する操作、又は前記可変カセット２２を前記装着部２２１に装着する操作等である。なお、前記ステップＳ１１４又はＳ４１で複数の薬品情報が複数の前記可変カセット２２に割り当てられた場合、前記ステップＳ６では、前記薬品情報各々に対応する全ての前記可変カセット２２への前記錠剤の充填完了操作が行われたか否かを判断する。
【０１３９】
ここで、前記充填完了操作が行われるまでの間（Ｓ６：Ｎｏ）、前記制御部１１は処理を前記ステップＳ６で待機させる。一方、前記充填完了操作が行われたと判断すると（Ｓ６：Ｙｅｓ）、前記制御部１１は処理をステップＳ７に移行させる。
【０１４０】
＜ステップＳ７＞
ステップＳ７において、前記制御部１１は、前記処方データに基づく分包動作の開始要求を前記制御部６１に送信する。なお、前記ステップＳ７では、ユーザーによる分包動作の開始要求操作が行われた場合に、前記分包動作の開始要求が前記制御部６１に送信されてもよい。
【０１４１】
特に、前記処方データに払出対象として含まれた薬品情報が示す錠剤のうち、前記固定カセット２１に存在しない錠剤の分包動作について、前記制御部１１は、例えば以下の手順で開始要求を送信する。
【０１４２】
まず、前記制御部１１は、前記装着部２２１各々に装着された前記可変カセット２２の前記ＲＦＩＤタグ２６から前記可変カセット２２のカセット識別情報を読み出し、前記装着部２２１各々に現在装着されている前記可変カセット２２を特定する。これにより、前記制御部１１は、前記装着部２２１各々に装着された前記可変カセット２２を特定することができるため、ユーザーは前記可変カセット２２各々を任意の前記装着部２２１に装着することが可能である。例えば、前記ステップＳ１１４又はＳ４１で複数の薬品情報が複数の前記可変カセット２２に割り当てられ、前記可変カセット２２各々が取り外された後、前記可変カセット２２各々が装着場所を入れ替えて装着された場合でも、前記制御部１１は、前記可変カセット２２各々が装着された前記装着部２２１を判断することができる。なお、前記薬品情報が前記可変カセット２２に割り当てられたときの前記装着部２２１と異なる前記装着部２２１に前記可変カセット２２が装着された場合にはエラーとして前記分包動作が開始されないことも他の実施形態として考えられる。
【０１４３】
そして、前記制御部１１は、前記処方データに基づいて、前記可変カセット２２のうち前記薬品情報各々が示す錠剤が収容された前記可変カセット２２各々を前記割当情報１２１に基づいて特定する。その後、前記制御部１１は、前記処方データに示された前記薬品情報各々について、前記薬品情報が割り当てられた前記可変カセット２２のカセット識別情報、前記可変カセット２２が装着された前記装着部２２１の識別情報、及び錠剤の払出量などの分包動作に必要な情報を前記制御部６１に送信する。
【０１４４】
＜ステップＳ２３＞
一方、図１２に示されるように、前記分包制御ユニット６では、前記制御部６１が、ステップＳ２３において、前記制御部１１からの前記分包動作の開始要求の有無を判断する。ここで、前記制御部６１は、前記分包動作の開始要求が受信された場合には（Ｓ２３のＹｅｓ側）、処理をステップＳ２４に移行させ、前記分包動作の開始要求が受信されていない間は（Ｓ２３のＮｏ側）、処理をステップＳ２４に移行させる。
【０１４５】
＜ステップＳ２４＞
ステップＳ２４において、前記制御部６１は、前記分包動作の開始要求に従って、前記錠剤供給ユニット２、前記散薬供給ユニット３、及び前記手撒きユニット４により必要な薬品を払い出し、前記分包ユニット５により服用時期などの分包単位で分包する分包動作を実行する。ここに、係る処理を実行するときの前記制御部６１が払出実行部の一例である。なお、前記散薬供給ユニット３、前記手撒きユニット４、及び前記分包ユニット５の制御については従来と同様であるためここでは説明を省略し、前記錠剤供給ユニット２による錠剤の払い出し動作のみについて説明する。
【０１４６】
前記制御部６１は、前記錠剤供給ユニット２について、前記ステップＳ１１４又はＳ４１で割り当てられた前記薬品情報に対応する前記駆動条件に従って、前記可変カセット２２から錠剤を払い出す際に駆動される前記第２駆動部２４の前記駆動モーター２４２の回転速度を変更する。即ち、前記可変カセット２２から前記錠剤を払い出す際の前記第２回転体２２４の回転速度が変更され、前記可変カセット２２からの錠剤の払出速度が前記錠剤の種類に応じて変更される。
【０１４７】
具体的に、前記制御部６１は、払出対象の薬品情報が割り当てられた前記可変カセット２２に対応する前記駆動モーター２４１及び前記駆動モーター２４２を駆動させ、前記第１回転体２２３及び前記第２回転体２２４を回転させることにより錠剤を払い出させる。このとき、前記制御部６１は、前記駆動対応情報１２２において前記薬品情報に対応する前記駆動条件として定められた払出速度に従って、前記駆動モーター２４２を駆動させる。これにより、前記可変カセット２２では、前記第２回転体２２４による前記錠剤の払出速度が前記錠剤に適した速度に変更される。このように、前記薬品払出装置１００では、前記駆動条件に前記駆動中条件が含まれている場合、前記制御部６１が、前記駆動中条件（払出速度）に従って前記可変カセット２２を駆動させることにより、前記可変カセット２２から錠剤を払い出させる。
【０１４８】
なお、前記可変カセット２２が前記高さ規制部材２２６及び前記幅規制部材２２７を具備しない構成であれば、前記可変カセット２２からの錠剤の払出速度のみを変更させることも考えられる。また、前記駆動モーター２４１の駆動速度は、一定であっても、或いは錠剤の種類に応じて変更してもよい。なお、前記分包動作において、前記可変カセット２２から払い出される錠剤の数は、前記可変カセット２２の前記払出口２２５に設けられた不図示の光学式センサーを有するカウンターによって計数されて前記制御部６１に排出数として入力される。これにより、前記制御部６１は、前記カウンターから入力される排出数に基づいて前記可変カセット２２の駆動を制御し、予め設定された払出量（処方量）のみを前記可変カセット２２から払い出す。
【０１４９】
また、前記制御部６１は、前記駆動対応情報１２２において前記薬品情報に対応する前記駆動条件として定められた前記第１スローダウン及び前記第２スローダウンの設定値に従って、前記可変カセット２２からの錠剤の払い出しの停止制御を実行する。ここに、係る処理を実行するときの前記制御部１１が駆動処理部の一例である。このように、前記薬品払出装置１００では、前記駆動条件に前記駆動停止時条件が含まれている場合、前記制御部６１は、前記処方データで定められた前記処方量の払い出しが終了するときに、前記駆動停止時条件である前記第１スローダウン及び前記第２スローダウンに従って前記可変カセット２２の駆動を停止させる。
【０１５０】
具体的に、前記駆動対応情報１２２において前記第１スローダウンが「６錠」に設定され、前記第２スローダウンが「１錠」に設定されている場合を考える。この場合、前記制御部６１は、前記払出口２２５に設けられた前記光学式センサー（不図示）を用いて前記カウンターによって計数された錠数に基づいて前記払出量の残りの錠数が「６錠」に達したと判断した場合に、前記駆動モーター２４２の回転速度を前記第１回転速度まで減速させる。その後、前記制御部６１は、前記払出口２２５に設けられた前記光学式センサー（不図示）を用いて前記カウンターによって計数された錠数に基づいて前記払出量の残りの錠数が「１錠」に達したと判断した場合に、前記駆動モーター２４２の回転速度を前記第２回転速度までさらに減速させる。これにより、前記第２回転体２２４上に転がりやすい錠剤が載置されている場合に、その錠剤が前記払出口２２５から余分に払い出されることが防止される。
【０１５１】
また、前記制御部６１は、前記駆動対応情報１２２において前記薬品情報に対応する前記駆動条件として定められた前記逆回転動作の有無に従って、前記可変カセット２２からの錠剤の払い出しの停止制御を実行する。ここに、係る処理を実行するときの前記制御部１１が駆動処理部の一例である。このように、前記薬品払出装置１００では、前記駆動条件に前記駆動停止時条件が含まれている場合、前記制御部６１は、前記処方データで定められた前記処方量の払い出しが終了するときに、前記駆動停止時条件である前記逆回転動作の有無に従って前記可変カセット２２を駆動させた後、前記可変カセット２２の駆動を停止させる。
【０１５２】
具体的に、前記駆動対応情報１２２において前記逆回転動作が「有」に設定されている場合、前記制御部６１は、前記可変カセット２２からの錠剤の払い出しを停止する際に前記第２回転体２２４による状態の搬送方向を逆方向に切り替える逆回転動作を実行する。例えば、前記制御部６１は、前記払出口２２５に設けられた前記光学式センサー（不図示）を用いて前記カウンターによって計数された錠数が前記払出量に達した場合に、前記駆動モーター２４２を予め設定された所定時間だけ逆回転させる。これにより、前記第２回転体２２４上に転がりやすい錠剤が載置されている場合に、その錠剤が前記払出口２２５から余分に払い出されることが防止される。なお、前記払出口２２５に開閉シャッターが設けられており、前記カウンターによって計数された錠数が前記払出量に達した場合に前記開閉シャッターが閉鎖される構成であってもよい。
【０１５３】
一方、前記駆動対応情報１２２において前記逆回転動作が「無」に設定されている場合、前記制御部６１は、前記可変カセット２２からの錠剤の払い出しを停止する際には不要な前記逆回転動作を実行しない。また、前記逆回転動作を開始するタイミングは、前記カウンターによって計数された錠数が前記払出量から予め定められた所定数だけ少ない値に達したときでもよい。このようなタイミングで前記逆回転動作を開始する場合は、前記駆動対応情報１２２において、前記薬品情報ごとに対応する前記所定数を予め記憶しておけばよい。これにより、例えば前記カウンターによって計数された錠数が前記払出量に達する前に前記逆回転動作を開始させることができ、前記払出口２２５からの錠剤の余分な払い出しを防止することができる。さらに、前記カウンターによって計数された錠数が前記払出量よりも前記所定数だけ少ない値に達した後は、錠剤が一錠払い出される度に前記逆回転動作を開始させることが考えられる。
【０１５４】
ところで、本実施の形態では、前記ステップＳ４２において前記可変カセット２２における前記高さ規制部材２２６の高さｈ１及び前記幅規制部材２２７の幅ｗ１を前記駆動条件に従って変更する場合を例に挙げて説明した。一方、前記制御部６１が、前記高さ規制部材２２６の高さｈ１及び前記幅規制部材２２７の幅ｗ１を前記分包動作の開始直前に実行することも他の実施形態として考えられる。即ち、前記可変カセット２２への前記事前駆動条件の反映は、前記分包動作が開始されるまでの任意のタイミングで実行されるものであればよい。
【０１５５】
＜ステップＳ２５＞
その後、前記制御部６１は、前記ステップＳ２４における前記分包動作が終了すると、続くステップＳ２５において、前記制御部１１に分包動作の完了通知を送信する。
【０１５６】
＜ステップＳ８＞
一方、図１１に示されるように、前記処方制御ユニット１では、ステップＳ８において、前記制御部１１が、前記制御部６１からの前記分包動作の完了通知を待ち受けている（Ｓ８のＮｏ側）。そして、前記分包動作の完了通知を受信すると（Ｓ８のＹｅｓ側）、前記制御部１１は処理をステップＳ９に移行させる。
【０１５７】
＜ステップＳ９＞
ステップＳ９において、前記制御部１１は、払い出しが完了した前記可変カセット２２の前記表示部２５に払い出しが完了した旨の表示を行う。例えば、前記ステップＳ９では、前記表示部２５に「払出完了」の文字が表示されること、又は前記表示部２５の前記薬品情報の表示が消去されること等が考えられる。このように払い出しが完了して前記可変カセット２２の前記表示部２５に払い出しが完了した旨の表示が行われる場合に、当該可変カセット２２への前記薬品情報の割り当てが解除されてもよい。また、前記可変カセット２２の前記表示部２５に払い出しが完了した後、当該可変カセット２２が前記装着部２２１に脱着された場合に当該可変カセット２２に対する前記薬品情報の割り当てが解除されてもよい。
【０１５８】
以上説明したように、前記薬品払出装置１００では、ユーザーが、払出対象の前記薬品情報各々について前記可変カセット２２を任意に選択して割り当てることが可能であるが、その際に既に前記薬品情報に割り当てられている前記可変カセット２２に対しては割り当てが実行されないように構成されている。これにより、前記可変カセット２２と前記薬品情報との対応関係が誤って変更されることが抑止され、前記可変カセット２２の適正な使用が支援される。
【０１５９】
なお、本実施形態では、前記処方制御ユニット１の制御部１１によって前記薬品情報の前記可変カセット２２への割り当てが実行される場合について説明した。一方、前記分包制御ユニット６の制御部６１によって前記薬品情報の前記可変カセット２２への割り当てが実行されてもよい。この場合、前記医薬品マスター、前記カセットマスター、前記割当情報１２１、前記駆動対応情報１２２などの各種の情報が、前記分包制御ユニット６の記憶部６２に記憶されている。そして、前記処方制御ユニット１から前記処方データが前記分包制御ユニット６に送信されると、前記制御部６１が、前記記憶部６２に記憶されている各種の情報に基づいて自動的に前記処方データに含まれる薬品情報を前記可変カセット２２に割り当て、又は、ユーザー操作に応じて前記薬品情報を前記可変カセット２２に割り当てる。さらに、前記処方制御ユニット１の制御部１１によって前記薬品情報の前記可変カセット２２への割り当てが実行された後、前記制御部６１が、ユーザー操作に応じて前記可変カセット２２と前記薬品情報との割り当て関係を変更することが可能な構成も考えられる。この場合、前記割当情報１２１は、前記制御部６１が前記記憶部１２にアクセスして編集可能であることが考えられる。また、前記記憶部１２及び前記記憶部６２の両方に前記割当情報１２１が記憶されてリアルタイムに同期する構成であってもよい。
【０１６０】
また、本実施形態では、全ての前記装着部２２１において前記可変カセット２２の前記高さ規制部材２２６及び前記幅規制部材２２７の調整が可能であり、全ての前記装着部２２１に前記ＲＦＩＤリーダライタ２４５が設けられている場合について説明した。一方、前記薬品払出装置１００において、前記装着部２２１のうちいずれか一つ又は複数の前記装着部２２１で前記可変カセット２２の前記高さ規制部材２２６及び前記幅規制部材２２７を調整可能であり、当該装着部２２１に前記ＲＦＩＤリーダライタ２４５が設けられていてもよい。さらに、前記装着部２２１各々とは別に、前記可変カセット２２の前記高さ規制部材２２６及び前記幅規制部材２２７を調整するための調整専用の装着部が設けられており、当該装着部に前記ＲＦＩＤリーダライタ２４５が設けられていてもよい。これにより、前記装着部２２１各々の構成を簡素化することが可能である。
【０１６１】
［他の機能］
以下、前記薬品払出装置１００が備える各種の機能について説明する。なお、ここで説明する各種の機能は、前記薬品払出装置１００が備える機能であればよく、前記制御部１１に代えて前記制御部６１によって具現される機能、又は前記制御部１１と前記制御部６１との協働により具現される機能であってもよい。
【０１６２】
［留意事項報知機能]
前記固定カセット２１、前記可変カセット２２、又は前記手撒きユニット４に薬品を投入する際に、当該薬品によってユーザーが留意すべき事項があることが考えられる。なお、前記制御部１１は、ユーザー操作に応じて前記固定カセット２１又は前記可変カセット２２に投入する薬品を選択する。また、前記手撒きユニット４に薬品が投入される場合、前記制御部１１は、前記手撒きユニット４に投入される薬品を前記処方データなどに基づいて把握することが可能である。そこで、前記薬品払出装置１００は、薬品について予め設定された留意事項を報知する留意事項報知機能を有することが考えられる。
【０１６３】
具体的には、前記医薬品マスターに、前記薬品の投入時に留意すべき事項の有無を示すフラグが留意すべき事項ごとにそれぞれ設けられていることが考えられる。例えば、帯電しやすい薬品については、投入前に除電処理が必要であることが留意すべき事項として考えられる。
【０１６４】
そして、前記制御部１１は、例えば前記固定カセット２１、前記可変カセット２２、又は前記手撒きユニット４への薬品の投入が開始される際に、当該薬品について前記医薬品マスターに登録されている前記フラグを参照する。ここで、前記制御部１１は、投入対象の薬品について前記フラグがオンに登録されている場合には、当該フラグに対応する留意事項を前記モニター１３等に表示してユーザーに報知する報知処理を実行する。例えば、投入前に除電処理が必要である旨のフラグがオンに登録されている薬品については、「金属製の除電用のお皿に薬品を投入した後、投入を行って下さい」のようなメッセージが表示される。ここに、前記報知処理を実行するときの前記制御部１１が報知処理部の一例である。
【０１６５】
これにより、ユーザーは、薬品の投入時に当該薬品の投入に際して留意すべき事項を漏れなく理解することができ、例えば薬品の投入作業における人為的ミスが抑制される。また、前記報知処理の実行タイミングは、例えば前記処方データの一覧画面Ｄ１において処方データが選択された際、前記処方入力画面Ｄ２において薬種が入力された際、又は前記手動割当処理が実行される際などの予め設定される任意のタイミングであってもよい。
【０１６６】
［割当予約機能]
前述したように、前記薬品払出装置１００では、前記可変カセット２２に前記薬品情報が既に割り当てられている場合には、当該可変カセット２２に対して前記薬品情報を割り当てることができない。また、先に前記分包動作が実行される処方データに含まれる一又は複数の前記薬品情報について前記可変カセット２２が割り当てられた状態では、それ以降に前記分包動作を実行したい他の処方データに含まれる前記薬品情報のうち前記手動割当処理で前記可変カセット２２に割り当てたい薬品情報の数が、現在未割当の状態の前記可変カセット２２の数よりも多いことも考えられる。この場合には、前記手動割当処理において、他の処方データに含まれる前記薬品情報のうち前記可変カセット２２に割り当てたい薬品情報の全てついて前記可変カセット２２への割り当てを行うことができない。
【０１６７】
一方、特定の前記可変カセット２２が、有色の薬品の払い出しに用いる有色薬品専用カセットとして用いられることがある。また、特定の前記可変カセット２２として、薬品が触れる箇所が金属で形成されることにより薬品の除電が図られる除電専用カセットが用いられることが考えられる。
【０１６８】
そこで、前記制御部１１は、前記可変カセット２２に対して前記薬品情報を即時に割り当てることができない場合に、前記可変カセット２２に対する前記薬品情報の割り当てが解除された後に、当該可変カセット２２に対して他の前記薬品情報を割り当てることを予約する割当予約機能を有することが考えられる。
【０１６９】
具体的に、前記制御部１１は、前記ステップＳ１１７でエラーを報知する際に、予約するか否かをユーザーに確認するためのメッセージを表示し、ユーザー操作により予約する旨が選択された場合に、前記可変カセット２２に対する前記薬品情報の割り当てを予約として受け付ける。その後、前記制御部１１は、予約対象の前記可変カセット２２に割り当てられた前記薬品情報に対応する薬品の払い出しが終了した場合、又は前記薬品情報に対応する薬品の払い出しが終了して前記可変カセット２２が脱着された場合などの前記割当解除条件を満たした場合に、前記薬品情報の割り当てを解除し、予約された前記薬品情報を前記可変カセット２２に割り当てる。
【０１７０】
これにより、ユーザーは、前記有色薬品専用カセット又は前記除電専用カセットが使用されている場合でも、その使用の終了後に、予約された前記薬品情報を前記有色薬品専用カセット又は前記除電専用カセットに割り当てて使用することが可能となる。また、前記有色薬品専用カセット又は前記除電専用カセットなどの特殊なカセットに限らず、前記薬品情報が既に割り当てられている前記可変カセット２２についても、その割り当てが解除される前の時点で、次の前記処方データに含まれる処方薬品を払い出す際に用いられるカセットとして選択する操作を行うことが可能であるため、ユーザーの作業効率が高まる。例えば、前述したように、先に前記分包動作が実行される処方データに含まれる一又は複数の前記薬品情報について前記可変カセット２２が割り当てられた状態で、それ以降に前記分包動作を実行したい他の処方データに含まれる前記薬品情報のうち前記手動割当処理で前記可変カセット２２に割り当てたい薬品情報の数が、現在未割当の状態の前記可変カセット２２の数よりも多い場合が考えられる。この場合でも、前記割当予約機能によれば、一又は複数の前記他の処方データに対応する前記薬品情報についても前記可変カセット２２への割り当て操作を先に行うことができるため、前記可変カセット２２への前記薬品情報の割り当てが解除された後でなければ当該可変カセット２２への前記薬品情報の割り当て操作ができない場合に比べて作業効率が高まる。なお、前記割当予約機能による同一の前記可変カセット２２への前記薬品情報の割り当て予約可能数は一又は複数であってよい。
【０１７１】
［中断時カセット継続使用機能］
ところで、前記制御部１１は、前記可変カセット２２を用いる分包動作の開始要求が前記ステップ７で送信された後、前記印刷部（不図示）による印刷に異常が発見された場合など、何らかの理由でユーザーにより所定の中断操作が行われた場合に前記分包動作を中断させることがある。この場合、前記分包動作は再実行することになるため、前記制御部１１は、前記分包動作の完了後だけでなく、前記分包動作の中断時又は中断後にも前記可変カセット２２各々への前記薬品情報の割り当てを解除することが考えられる。しかしながら、前記分包動作が中断されたときに前記可変カセット２２内に既に薬品が充填されている場合には、その薬品を取り出し、次に当該薬品の薬品情報が割り当てられた前記可変カセット２２に充填し直すという手間が生じる。
【０１７２】
これに対し、前記制御部１１が、前記分包動作の中断時及び中断中には前記可変カセット２２への前記薬品情報の割り当てを解除せず、前記分包動作の再開時及び再開された前記分包動作の実行中にも前記薬品情報各々の前記可変カセット２２への割り当てを継続させることが可能な中断時カセット継続使用機能を備えることが考えられる。ここに、図１７は、前記分包動作の中断時に前記制御部１１によって実行される中断再開処理の手順の一例を示すフローチャートである。当該中断再開処理は、前記薬品払出装置１００において前記分包動作が中断された場合に前記制御部１１によって実行される。
【０１７３】
＜ステップＳ２１１＞
ステップＳ２１１において、前記制御部１１は、中断した分包動作を再実行するか否かを判断する。具体的に、前記制御部１１は、ユーザー操作により再実行要求が行われた場合に、前記分包動作を再実行すると判断し（Ｓ２１１：Ｙｅｓ）、処理をステップＳ２１２に移行させる。一方、ユーザー操作によりキャンセル要求が行われた場合、前記制御部１１は、前記分包動作を再実行しないと判断し（Ｓ２１１：Ｎｏ）、処理をステップＳ２１３に移行させる。
【０１７４】
＜ステップＳ２１２＞
ステップＳ２１２において、前記制御部１１は、前記分包動作において前記薬品情報が割り当てられていた前記可変カセット２２をそのまま継続して使用するか否かをユーザー操作に応じて判断する。即ち、前記可変カセット２２と前記薬品情報との割り当て状態を維持するか否かを判断する。そして、前記制御部１１は、ユーザー操作により継続使用要求が行われた場合に（Ｓ２１２：Ｙｅｓ）、処理をステップＳ２１５に移行させる。一方、ユーザー操作により継続使用しない旨が選択された場合には（Ｓ２１１：Ｎｏ）、処理がステップＳ２１３に移行する。
【０１７５】
＜ステップＳ２１３＞
ステップＳ２１３において、前記制御部１１は、前記可変カセット２２各々の脱着を待ち受ける。そして、前記可変カセット２２が脱着されると（Ｓ２１３：Ｙｅｓ）、処理がステップＳ２１４に移行する。なお、当該ステップＳ２１３〜Ｓ２１４の処理は、前記分包動作で使用された前記可変カセット２２各々について実行される。
【０１７６】
＜ステップＳ２１４＞
ステップＳ２１４において、前記制御部１１は、脱着された前記可変カセット２２への前記薬品情報の割り当てを解除する。これにより、前記可変カセット２２に他の前記薬品情報を割り当てて、次の分包動作で使用することが可能となる。
【０１７７】
＜ステップＳ２１５＞
一方、前記可変カセット２２の継続使用が選択された場合（Ｓ２１２：Ｙｅｓ）、続くステップＳ２１５において、前記制御部１１は、中断された前記分包動作で使用する前記可変カセット２２各々の脱着を待ち受ける（Ｓ２１５：Ｎｏ）。そして、中断された前記分包動作で使用する全ての前記可変カセット２２の脱着が行われると（Ｓ２１５：Ｙｅｓ）、処理がステップＳ７に移行し、当該分包動作が再実行される。なお、前記ステップＳ２１５は省略されてもよい。
【０１７８】
以上説明したように、前記中断時カセット継続使用機能によれば、前記可変カセット２２を使用する前記分包動作が中断された後も、前記可変カセット２２への前記薬品情報の割り当てを継続させることが可能である。これにより、前記可変カセット２２に対する薬品の充填作業及び取り出し作業などのユーザーの手間を軽減することができる。
【０１７９】
［中断時カセット任意選択機能］
また、前記制御部１１が、前記分包動作の再開時に、前記薬品情報各々を割り当てる前記可変カセット２２を任意に選択可能な中断時カセット任意選択機能を備えることが考えられる。ここに、図１８は、前記分包動作の中断時に前記制御部１１によって実行される中断再開処理の手順の一例を示すフローチャートである。なお、前記ステップＳ２１１、Ｓ２１３、Ｓ２１４、及びＳ２１５については、前記中断時カセット継続使用機能と同様であるため説明を省略する。また、前記ステップＳ２１２は省略される。
【０１８０】
＜ステップＳ２１６＞
前記制御部１１は、前記ステップＳ２１１で前記分包動作を再実行すると判断した場合（Ｓ２１１：Ｙｅｓ）、続くステップＳ２１６において、前記カセット選択処理（図１３）を実行する。なお、前記ステップＳ２１６では、前記分包動作に対応する前記処方データに含まれる薬品情報のうち前記可変カセット２２に割り当てられていた薬品情報各々について前記カセット選択処理が個別に実行される。これにより、前記薬品情報各々について前記可変カセット２２への割り当てが行われることになる。
【０１８１】
ところで、前記ステップＳ２１６で実行される前記カセット選択処理における前記ステップＳ１１７では、前記エラー報知に代えて、前記薬品情報の前記可変カセット２２への割り当ての予約が行われる。即ち、前述の割当予約機能と同様に、前記ステップＳ１１２で選択された前記可変カセット２２に既に薬品情報が割り当てられている場合は、前記可変カセット２２に対する前記薬品情報の割り当てを予約する。その後、前記制御部１１は、前記可変カセット２２が脱着されることにより前記割当解除条件を満たした場合、当該可変カセット２２に対して予約されていた前記薬品情報を割り当てる。
【０１８２】
また、前記ステップＳ２１１において、中断した前記分包動作を再実行すると判断された場合に、前記分包動作で用いられる前記可変カセット２２各々への前記薬品情報の割り当てを解除した後、前記ステップＳ２１６が実行されることも考えられる。その後、前記ステップＳ２１５では、前記分包動作で用いられる前記可変カセット２２のうち中断前後で割り当てられた前記薬品情報が同じ前記可変カセット２２については脱着の検出を省略することが考えられる。これにより、ユーザーは、例えば中断前後で同一の前記薬品情報に割り当てられた前記可変カセット２２に中断後も前記分包動作に必要な薬品量が残っている場合には、当該可変カセット２２についての脱着動作を省略することが可能である。
【０１８３】
以上説明したように、前記中断時カセット任意選択機能によれば、前記可変カセット２２を使用する前記分包動作が中断された後、前記可変カセット２２への前記薬品情報の割り当てを任意に選択することが可能である。従って、中断前に前記可変カセット２２に割り当てられていた前記薬品情報を当該可変カセット２２に再度割り当てることが可能となり、薬品の充填作業及び取り出し作業などのユーザーの手間を軽減することができる。
【０１８４】
［第２実施形態］
ところで、前記薬品払出装置１００では、前記装着部２２１に装着されている前記可変カセット２２に対して前記薬品情報を割り当てる場合を例に挙げて説明した。一方、前記制御部１１が、前記装着部２２１に前記薬品情報を割り当てることにより、当該薬品情報を間接的に前記可変カセット２２に割り当てることが他の実施形態として考えられる。この場合も前記第１実施形態で説明した前記薬品払出装置１００の各種の機能による作用効果が奏される。
【０１８５】
具体的に、本実施形態では、前記錠剤供給ユニット２において左から右に向かって順に並べられた４つの前記装着部２２１に、装着部番号「Ａ１」〜「Ａ４」が前記装着部識別情報として予め設定されているものとする。また、本実施形態において、前記割当情報１２１は、図１９に示されるように、前記装着部２２１、前記可変カセット２２、前記薬ＩＤ（薬品情報）との対応関係を示す情報である。
【０１８６】
そして、前記制御部１１は、前記薬品払出処理及び前記カセット選択処理において、前記カセット選択画面Ｄ３に表示された任意の前記装着部２２１がユーザーによって選択されると、当該薬品情報を前記装着部２２１に割り当てる（ステップＳ４１、Ｓ１１４）。その後、前記制御部１１は、前記装着部２２１に前記可変カセット２２が装着された場合に、当該可変カセット２２を当該装着部２２１及び前記薬品情報に割り当てる。即ち、前記装着部２２１に割り当てられた前記薬品情報が、当該装着部２２１に任意に装着される前記可変カセット２２に割り当てられることになる。
【０１８７】
また、前記カセット選択処理では、前記ステップＳ１１３において、選択された前記装着部２２１に既に薬品情報が割り当てられている場合には、当該装着部２２１への割り当てを行わずに、前記ステップＳ１１７におけるエラー報知を実行する。具体的に、前記制御部１１は、前記装着部２２１に既に前記薬品情報が割り当てられている旨のエラーメッセージを前記モニター１３に表示させる。例えば、前記エラーメッセージは、「選択された装着部には既に薬品情報が割り当てられています」のように、選択された前記装着部２２１が既に割り当て済みである旨を示すメッセージである。
【符号の説明】
【０１８８】
１      処方制御ユニット
１１    制御部
４      手撒きユニット
６      分包制御ユニット
６１    制御部
１００  薬品払出装置
１１１  表示処理部
１１２  受付処理部
１１３  割当処理部
【図１】
2019068934.tif 000003
【図２】
2019068934.tif 000004
【図３】
2019068934.tif 000005
【図４】
2019068934.tif 000006
【図５】
2019068934.tif 000007
【図６】
2019068934.tif 000008
【図７】
2019068934.tif 000009
【図８】
2019068934.tif 000010
【図９】
2019068934.tif 000011
【図１０】
2019068934.tif 000012
【図１１】
2019068934.tif 000013
【図１２】
2019068934.tif 000014
【図１３】
2019068934.tif 000015
【図１４】
2019068934.tif 000016
【図１５】
2019068934.tif 000017
【図１６】
2019068934.tif 000018
【図１７】
2019068934.tif 000019
【図１８】
2019068934.tif 000020
【図１９】
2019068934.tif 000021